(57)【要約】一対の横端部シール（１１４、１１６）と、それらの略間の縦シール（１１２）とを有する可撓性フィルムから形成された包装体を含む易開封性包装体を提供する。縦シール（１１２）は、可撓性フィルムの第２の縦縁部に封止された可撓性フィルムの第１の縦縁部間にシール領域を含む。包装体内に形成された引裂帯（１１８）及びプルタブ（１２２）が、プルタブ（１２２）を一方向に引っ張ることによる引き裂きの開始により、引裂帯（１１８）を画定する脆弱ライン（１２０）に沿った、可撓性フィルムの制御された引き裂きを生じるように構成される。可撓性フィルム、及び可撓性フィルムならびに包装体の製造方法も提供する。【選択図】図１
2017538636.tif 000002
【特許請求の範囲】
【請求項１】
易開封性包装体であって、
一対の横端部シールと、それらの略間の縦シールとを有する可撓性フィルムから形成された包装体であって、前記縦シールが、前記可撓性フィルムの第２の縦縁部に封止された前記可撓性フィルムの第１の縦縁部間にシール領域を備える、包装体と、
前記可撓性フィルムを部分的に通して配置された脆弱ラインによって画定された引裂帯と、
前記縦シール内に位置付けられ、かつ前記縦シール内の前記可撓性フィルムの前記第１の縦縁部及び前記第２の縦縁部の両方を通る切れ目によって画定されたプルタブであって、前記切れ目が、前記シール領域内に、かつ前記縦シールの端縁の内側に位置付けられる、プルタブと、を備え、
前記引裂帯を画定する前記脆弱ラインが、前記包装体の周囲に延在する１本以上のラインを備え、前記脆弱ラインが、前記プルタブ及び前記縦シールの近位から、前記包装体の少なくとも一部の周囲に延在し、
前記プルタブ及び前記引裂帯が、前記プルタブを一方向に引っ張ることによる引き裂きの開始により、前記引裂帯を画定する前記脆弱ラインに沿った、前記可撓性フィルムの制御された引き裂きを生じるように構成される、易開封性包装体。
【請求項２】
前記脆弱ラインが、開始脆弱ラインから、前記包装体の前記少なくとも一部の周囲に延在し、前記プルタブ、前記開始脆弱ライン、及び前記引裂帯が、前記プルタブを前記一方向に引っ張ることによる前記引き裂きの開始により、前記引裂帯を画定する前記脆弱ラインに沿った、前記開始脆弱ラインからの前記可撓性フィルムの制御された引き裂きを生じるように構成される、請求項１に記載の包装体。
【請求項３】
前記一対の横端部シール及び前記縦シールのうちの１つ以上が、ヒートシールを備える、請求項１に記載の包装体。
【請求項４】
前記一対の横端部シール及び前記縦シールのうちの１つ以上が、コールドシールを備える、請求項１に記載の包装体。
【請求項５】
前記縦シールが、前記プルタブを引っ張るための前記一方向とは反対の方向にある、請求項１に記載の包装体。
【請求項６】
前記可撓性フィルムが、外層及び内層を備える少なくとも２つの層を備える、請求項１に記載の包装体。
【請求項７】
前記脆弱ラインが、前記外層を少なくとも部分的に通して延在する、請求項６に記載の包装体。
【請求項８】
前記脆弱ラインが、前記内層を少なくとも部分的に通して延在する、請求項６に記載の包装体。
【請求項９】
前記脆弱ラインが、前記外層を少なくとも部分的に通して、かつ前記外層のみを通して延在する、請求項６に記載の包装体。
【請求項１０】
前記脆弱ラインが、前記可撓性フィルムを部分的にのみ通して延在する、請求項１に記載の包装体。
【請求項１１】
前記引裂帯が、前記タブと連続している、請求項１に記載の包装体。
【請求項１２】
前記可撓性フィルムが、前記外層と前記内層との間に配置された印刷層及び永久接着剤をさらに備える、請求項６に記載の包装体。
【請求項１３】
前記印刷層が、前記包装体を開封するための指示を提供する図形を含む、請求項１２に記載の包装体。
【請求項１４】
前記脆弱ラインが、２本の実質的に平行な脆弱ラインを備える、請求項１に記載の包装体。
【請求項１５】
前記２本の実質的に平行なラインが、約１／８インチ〜約２インチの距離で離間している、請求項１４に記載の包装体。
【請求項１６】
前記２本の実質的に平行なラインが、約１／４インチ〜約１インチの距離で離間している、請求項１４に記載の包装体。
【請求項１７】
前記２本の実質的に平行なラインが、約１／４インチ〜約１／２インチの距離で離間している、請求項１４に記載の包装体。
【請求項１８】
前記切れ目が、前記２本の実質的に平行な脆弱ラインのうちの１本から、前記２本の実質的に平行な脆弱ラインのうちの別の方へと延在する、請求項１４に記載の包装体。
【請求項１９】
前記プルタブが、前記縦シールの前記端縁から約１／１０インチ〜約１／２インチのところに位置付けられる、請求項１４に記載の包装体。
【請求項２０】
前記プルタブが、前記縦シールの前記端縁から約１／８インチ〜約１／４インチのところに位置付けられる、請求項１に記載の包装体。
【請求項２１】
前記プルタブが、曲面形状を備える、請求項１に記載の包装体。
【請求項２２】
前記プルタブが、角形を備える、請求項１に記載の包装体。
【請求項２３】
前記角形が、台形を備える、請求項２２に記載の包装体。
【請求項２４】
前記脆弱ラインが、前記第１及び第２の縦縁部のうちの別の方へと実質的に延在することなく、前記包装体の前記少なくとも一部の周囲の前記第１及び第２の縦縁部のうちの１つの近位から延在する、請求項１に記載の包装体。
【請求項２５】
前記包装体が、収納空間を画定し、かつ前記タブと前記収納空間との間にシールをさらに備える、請求項１に記載の包装体。
【請求項２６】
前記１本以上の脆弱ライン及び前記切れ目が、レーザー刻設される、請求項１に記載の包装体。
【請求項２７】
前記縦シールが、未接着外側代部をさらに備える、請求項１に記載の包装体。
【請求項２８】
前記引裂帯が、前記横シールのうちの別の方より前記一対の横シールのうちの１つにより近い前記包装体の周囲に延在する、請求項１に記載の包装体。
【請求項２９】
易開封性包装体を形成するための可撓性フィルムであって、前記可撓性フィルムが、
一対の横端部シール領域と、
前記横端部シール領域の略間の一対の縦縁部と、
前記横端部シール領域の略間に、かつ前記一対の縦縁部の略間に延在する保管領域と、
前記可撓性フィルムを部分的に通して配置された脆弱ラインによって画定された引裂帯であって、前記引裂帯を画定する前記脆弱ラインが、前記保管領域に少なくとも部分的に沿って延在する１本以上のラインを備える、引裂帯と、
前記一対の縦縁シール領域のうちの１つを通る第１の切れ目と、前記一対の縦縁領域のうちの別の方を通る第２の切れ目と、を備え、
前記一対の横端部シール領域、前記一対の縦縁シール領域、前記保管領域、前記引裂帯、及び前記第１及び第２の切れ目が、前記一対の横端部シール領域をそれ自体に接着させて一対の横端部シールを形成し、前記一対の縦縁部を互いに接着させて前記縦縁部間のシール領域を含む縦シールを形成し、かつ前記第１及び第２の切れ目を整列させて前記縦シール内に位置付けられ、前記縦シール内に、かつ前記縦シールの端縁の内側に位置付けられたプルタブを画定することによって、前記可撓性フィルムを折り畳んで包装体を形成し得るように構成され、
前記包装体が形成されるとき、前記脆弱ラインが、前記プルタブ及び前記縦シールの近位から、前記包装体の少なくとも一部の周囲に延在し、
前記プルタブ及び前記引裂帯が、前記包装体が形成されるとき、前記プルタブを一方向に引っ張ることによる引き裂きの開始により、前記引裂帯を画定する前記脆弱ラインに沿った、前記可撓性フィルムの制御された引き裂きを生じるように構成される、可撓性フィルム。
【請求項３０】
請求項１に記載の可撓性フィルムのロール。
【請求項３１】
易開封性包装体であって、
一対の横端部シールと、それらの略間の縦シールとを有する可撓性フィルムから形成された包装体であって、前記縦シールが、前記可撓性フィルムの第２の縦縁部に封止された前記可撓性フィルムの第１の縦縁部間にシール領域を備える、包装体と、
前記可撓性フィルムを部分的に通して配置された脆弱ラインによって画定された引裂帯と、
前記縦シール内に位置付けられ、かつ前記縦ラップシール内の前記可撓性フィルムの前記第１の縦縁部を通る切れ目によって画定されたプルタブであって、前記切れ目が、前記シール領域内に、かつ前記縦シールの端縁の内側に位置付けられる、プルタブと、を備え、
前記引裂帯を画定する前記脆弱ラインが、前記包装体の周囲に延在する１本以上のラインを備え、前記脆弱ラインが、前記プルタブ、及び前記縦シールを形成する前記可撓性フィルムの前記第１の縦縁部の近位から延在し、
前記プルタブ及び前記引裂帯が、前記プルタブを一方向に引っ張ることによる引き裂きの開始により、前記引裂帯を画定する前記脆弱ラインに沿った、前記可撓性フィルムの制御された引き裂きを生じるように構成される、易開封性包装体。
【請求項３２】
前記脆弱ラインが、開始脆弱ラインから、前記包装体の前記少なくとも一部の周囲に延在し、前記開始脆弱ラインが、前記縦ラップシールを形成する前記可撓性フィルムの前記第２の縦縁部内に位置付けられ、前記プルタブ、前記開始脆弱ライン、及び前記引裂帯が、前記プルタブを一方向に引っ張ることによる前記引き裂きの開始により、前記引裂帯を画定する前記脆弱ラインに沿った、前記開始脆弱ラインからの前記可撓性フィルムの制御された引き裂きを生じるように構成される、請求項３１に記載の包装体。
【請求項３３】
前記開始脆弱ラインが、前記第１の縦縁部の前記プルタブに隣接する領域内の前記可撓性フィルムの前記第２の縦縁部内に位置付けられる、請求項３１に記載の包装体。
【請求項３４】
前記一対の横端部シール及び前記縦ラップシールのうちの１つ以上が、ヒートシールを備える、請求項３１に記載の包装体。
【請求項３５】
前記一対の横端部シール及び前記縦ラップシールのうちの１つ以上が、コールドシールを備える、請求項３１に記載の包装体。
【請求項３６】
前記可撓性フィルムが、外層及び内層を備える少なくとも２つの層を備える、請求項３１に記載の包装体。
【請求項３７】
前記脆弱ラインが、前記外層を少なくとも部分的に通して延在する、請求項３６に記載の包装体。
【請求項３８】
前記脆弱ラインが、前記内層を少なくとも部分的に通して延在する、請求項３６に記載の包装体。
【請求項３９】
前記脆弱ラインが、前記外層を少なくとも部分的に通して、かつ前記外層のみを通して延在する、請求項３６に記載の包装体。
【請求項４０】
前記脆弱ラインが、前記可撓性フィルムを部分的にのみ通して延在する、請求項３１に記載の包装体。
【請求項４１】
前記引裂帯が、前記タブと連続している、請求項３１に記載の包装体。
【請求項４２】
前記可撓性フィルムが、前記外層と前記内層との間に配置された印刷層及び永久接着剤をさらに備える、請求項３６に記載の包装体。
【請求項４３】
前記印刷層が、前記包装体を開封するための指示を提供する図形を含む、請求項４２に記載の包装体。
【請求項４４】
前記脆弱ラインが、２本の実質的に平行な脆弱ラインを備える、請求項３１に記載の包装体。
【請求項４５】
前記２本の実質的に平行なラインが、約１／８インチ〜約２インチの距離で離間している、請求項４４に記載の包装体。
【請求項４６】
前記２本の実質的に平行なラインが、約１／４インチ〜約１インチの距離で離間している、請求項４４に記載の包装体。
【請求項４７】
前記２本の実質的に平行なラインが、約１／４インチ〜約１／２インチの距離で離間している、請求項４４に記載の包装体。
【請求項４８】
前記切れ目が、前記２本の実質的に平行な脆弱ラインのうちの１本から、前記２本の実質的に平行な脆弱ラインのうちの別の方へと延在する、請求項４４に記載の包装体。
【請求項４９】
前記プルタブが、前記縦ラップシールの前記第１の縦縁部の前記端縁から約１／１０インチ〜約１／２インチのところに位置付けられる、請求項３１に記載の包装体。
【請求項５０】
前記プルタブが、前記縦ラップシールの前記第１の縦縁部の前記端縁から約１／８インチ〜約１／４インチのところに位置付けられる、請求項３１に記載の包装体。
【請求項５１】
前記プルタブが、曲面形状を備える、請求項３１に記載の包装体。
【請求項５２】
前記プルタブが、角形を備える、請求項３１に記載の包装体。
【請求項５３】
前記角形が、台形を備える、請求項５２に記載の包装体。
【請求項５４】
前記切れ目を囲む前記縦ラップシールが、接着剤を実質的に含まない領域をさらに備える、請求項３１に記載の包装体。
【請求項５５】
前記脆弱ラインが、前記第２の縦縁部へと実質的に延在することなく、前記包装体の前記少なくとも一部の周囲の前記第１の縦縁部の近位から延在する、請求項３１に記載の包装体。
【請求項５６】
前記包装体、前記横端部シール、及び前記縦ラップシールが、収納空間を画定し、かつ前記縦ラップシールが、前記タブと前記収納空間との間に封止部分をさらに備える、請求項３１に記載の包装体。
【請求項５７】
前記１本以上の脆弱ライン及び前記切れ目が、レーザー刻設される、請求項３１に記載の包装体。
【請求項５８】
前記縦シールが、未接着外側代部をさらに備える、請求項３１に記載の包装体。
【請求項５９】
前記引裂帯が、前記横シールのうちの別の方より前記一対の横シールのうちの１つにより近い前記包装体の周囲に延在する、請求項３１に記載の包装体。
【請求項６０】
前記縦シールが、ラップシールである、請求項３１に記載の包装体。
【請求項６１】
易開封性包装体を形成するための可撓性フィルムであって、前記可撓性フィルムが、
一対の横端部シール領域と、
前記横端部シール領域の略間の一対の縦縁部と、
前記横端部シール領域の略間に、かつ前記一対の縦縁部の略間に延在する保管領域と、
前記可撓性フィルムを部分的に通して配置された脆弱ラインによって画定された引裂帯であって、前記引裂帯を画定する前記脆弱ラインが、前記保管領域に少なくとも部分的に沿って延在する１本以上のラインを備える、引裂帯と、
前記一対の縦縁部のうちの１つを通る切れ目と、を備え、
前記一対の横端部シール領域、前記一対の縦領域部、前記保管領域、前記引裂帯、及び前記第１及び第２の切れ目が、前記一対の横端部シール領域をそれ自体に接着させて一対の横端部シールを形成し、前記一対の縦縁部を互いに接着させて前記縦縁部間のシール領域を含む縦シールを形成し、かつ前記切れ目を整列させて前記縦シール内に位置付けられ、前記縦縁部のうちの１つ内に、かつ前記縦シールの端縁の内側に位置付けられたプルタブを画定することによって、前記可撓性フィルムを折り畳んで包装体を形成し得るように構成され、
前記包装体が形成されるとき、前記脆弱ラインが、前記プルタブ及び前記縦シールの近位から、前記包装体の少なくとも一部の周囲に延在し、
前記プルタブ及び前記引裂帯が、前記包装体が形成されるとき、前記プルタブを一方向に引っ張ることによる引き裂きの開始により、前記引裂帯を画定する前記脆弱ラインに沿った、前記可撓性フィルムの制御された引き裂きを生じるように構成される、可撓性フィルム。
【請求項６２】
前記縦シールが、ラップシールである、請求項６１に記載の可撓性フィルム。
【請求項６３】
請求項６１に記載の可撓性フィルムのロール。
【発明の詳細な説明】
【技術分野】
【０００１】
関連出願の相互参照
本願は、その開示が一例としてその全体が本明細書に参照によって組み込まれる、２０１４年１２月１９日に出願された米国仮特許出願第６２／０９４，７２７号に対する優先権を主張する。
【０００２】
技術分野
本願は、容易に開封される可撓性包装材料に関する。より具体的には、本願は、本明細書に含有された製品を取り除くための完全なアクセスを提供する、制御された引き裂きを使用して容易に開封され得る可撓性包装材料を対象とする。
【背景技術】
【０００３】
背景
可撓性包装体は、多様な食品などの物品を保管するのに広く使用される。かかる包装体の開封に関連する多様な問題がよく知られており、かかる問題を解消するために多様な試みが行われてきた。例えば、一部の実施形態では、可撓性包装体は、包装体を開封する際の助けとなる鋸歯状の縁を含有し得る賦形端シールで開封される。生成された引き裂きは一般に誘導されず、これは開封が予測不能であり、包装体の制御された開封を可能にしないことを意味している。切れ目または他の開封の開始から横断方向での可撓性ラップ包装体の開封時に生じる別の具体的な問題は、かかる機構が可撓性包装体の略中間に位置する縦シールまたは製品によって終了することである。いったん引き裂きがこの縦シールに達すると、引き裂きが止まり、または予測不能になる。さらに、包装体を開封するのがより容易であれば、意図しない開封が起こりやすい。
【０００４】
したがって、既存の易開封性機構と関連する１つ以上の欠点を回避する新規の可撓性包装体を提供することが望ましい。
【発明の概要】
【０００５】
概要
本願の実施形態は、一対の横端部シールと、それらの略間の縦シールとを有する可撓性フィルムから形成された包装体を含む易開封性包装体を提供することによって、上に記載した必要性を満たしている。縦シールが、可撓性フィルムの第１の縦縁部と可撓性フィルムの第２の縦縁部との間にシール領域を含む。包装体が、可撓性フィルムを部分的に通して配置された脆弱ラインによって画定された引裂帯と、縦シール内に位置付けられたプルタブとをさらに含む。プルタブは、縦シール内の可撓性フィルムの第１の縦縁部及び第２の縦縁部の両方を通る切れ目によって画定され、シール領域内に、かつ縦シールの端縁の内側に位置付けられる。引裂帯を画定する脆弱ラインは、包装体の少なくとも一部の周囲に延在する２本の離間したラインを含む場合があり、脆弱ラインは、包装体の少なくとも一部の周囲のプルタブ及び縦シールの近位から延在する。プルタブ及び引裂帯は、プルタブを一方向に引っ張ることによる引き裂きの開始により、脆弱ラインに沿った、可撓性フィルムの制御された引き裂きを生じるように構成される。
【０００６】
別の態様では、一対の横端部シールと、それらの略間の縦シールとを有する可撓性フィルムから形成された包装体であって、縦シールが、可撓性フィルムの第２の縦縁部に封止された可撓性フィルムの第１の縦縁部間にシール領域を有する包装体を含む、易開封性包装体を提供する。引裂帯は、可撓性フィルムを部分的に通して配置された脆弱ラインによって画定され、プルタブは、縦シール内に位置付けられ、かつ縦シール内の可撓性フィルムの第１の縦縁部を通る切れ目によって画定され、切れ目は、シール領域内に、かつ縦シールの端縁の内側に位置付けられる。引裂帯を画定する脆弱ラインは、包装体の周囲に延在する１本以上のラインを含み、脆弱ラインは、プルタブ及び縦シールの近位から、包装体の少なくとも一部の周囲に延在する。プルタブ及び引裂帯は、プルタブを一方向に引っ張ることによる引き裂きの開始により、引裂帯を画定する脆弱ラインに沿った、可撓性フィルムの制御された引き裂きを生じるように構成される。
【０００７】
また別の態様では、易開封性包装体を形成するための可撓性フィルムを提供する。可撓性フィルムは、一対の横端部シール領域と、横端部シール領域の略間の一対の縦縁部と、横端部シール領域の略間に、かつ一対の縦縁部の略間に延在する保管領域と、可撓性フィルムを部分的に通して配置された脆弱ラインによって画定された引裂帯であって、引裂帯を画定する脆弱ラインが、保管領域に少なくとも部分的に沿って延在する１本以上のラインを備える引裂帯と、一対の縦縁部のうちの１つを通る第１の切れ目と、一対の縦縁部のうちの別の方を通る第２の切れ目とを備える。一対の横端部シール領域、一対の縦縁部、保管領域、引裂帯、及び第１及び第２の切れ目が、一対の横端部シール領域をそれ自体に接着させて一対の横端部シールを形成し、一対の縦縁部を互いに接着させて縦縁部間にシール領域を含む縦シールを形成し、かつ第１及び第２の切れ目を整列させて縦シール内に位置付けられ、縦シール内に、かつ縦シールの端縁の内側に位置付けられたプルタブを画定することによって、可撓性フィルムを折り畳んで包装体を形成し得るように構成される。包装体が形成されるとき、脆弱ラインが、プルタブ及び縦シールの近位から、包装体の少なくとも一部の周囲に延在する。加えて、プルタブ及び引裂帯は、包装体が形成されるとき、プルタブを一方向に引っ張ることによる引き裂きの開始により、引裂帯を画定する脆弱ラインに沿った、可撓性フィルムの制御された引き裂きを生じるように構成される。
【０００８】
また別の態様では、易開封性包装体を形成するための別の可撓性フィルムを提供する。可撓性フィルムは、一対の横端部シール領域と、横端部シール領域の略間の一対の縦縁部と、横端部シール領域の略間に、かつ一対の縦縁部の略間に延在する保管領域と、可撓性フィルムを部分的に通して配置された脆弱ラインによって画定された引裂帯であって、引裂帯を画定する脆弱ラインが、保管領域に少なくとも部分的に沿って延在する１本以上のラインを備える引裂帯と、一対の縦縁部のうちの１つを通る切れ目とを備える。一対の横端部シール領域、一対の縦縁部、保管領域、引裂帯、及び第１及び第２の切れ目が、一対の横端部シール領域をそれ自体に接着させて一対の横端部シールを形成し、一対の縦縁部を互いに接着させて縦縁部間にシール領域を含む縦シールを形成し、かつ切れ目を整列させて縦シール内に位置付けられ、縦縁部のうちの１つ内に、かつ縦シールの端縁の内側に位置付けられたプルタブを画定することによって、可撓性フィルムを折り畳んで包装体を形成し得るように構成される。包装体が形成されるとき、脆弱ラインが、プルタブ及び縦シールの近位から、包装体の少なくとも一部の周囲に延在する。加えて、プルタブ及び引裂帯は、包装体が形成されるとき、プルタブを一方向に引っ張ることによる引き裂きの開始により、引裂帯を画定する脆弱ラインに沿った、可撓性フィルムの制御された引き裂きを生じるように構成される。
【０００９】
さらなる態様は、下記に続く明細書に部分的に記載され、明細書から部分的に明らかとなり、もしくは下に記載された態様の実施によって習得され得る。下に記載された利点は、付属の特許請求の範囲で具体的に指摘された要素及び組み合わせによって実現され、かつ達成されるだろう。前述の一般的な明細書及び下記の詳細な明細書は、例示し、かつ説明するだけのものであって、限定するものではない。
【図面の簡単な説明】
【００１０】
図面の簡単な説明
【図１】易開封性包装体の実施形態の斜視図である。
【００１１】
【図２Ａ−２Ｂ】易開封性包装体の２つの実施形態の背面図である。
【００１２】
【図３】実施形態による可撓性フィルムの部分的な断面図である。
【００１３】
【図４】実施形態による可撓性フィルムの概略図である。
【００１４】
【図５Ａ−５Ｃ】実施形態による易開封性包装体の開封についての概略図である。
【００１５】
【図６Ａ−６Ｄ】可撓性フィルム（６Ａ）、縦ラップシールを有する部分的に形成された袋（６Ｂ）、開封された縦ラップシールを有する易開封性袋（６Ｃ）、実施形態により開封された後の図６Ｃの易開封性袋（６Ｄ）の概略図である。
【００１６】
【図６Ｅ】未シール領域内に位置付けられ、かつ未シール領域のシール領域との境界からの距離だけ離間した弓形スコアを備えるフィルムを描写した実施形態の部分的な概略図である。
【００１７】
【図７】可撓性フィルムの別の実施形態の概略図である。
【発明を実施するための形態】
【００１８】
詳細な説明
本願の実施形態は、一般に、易開封性包装体、及びかかる包装体を製造する方法を対象とする。概して、可撓性フィルムを部分的に通して配置された脆弱ラインによって画定された引裂帯と、縦シール内に位置付けられたプルタブとを備える可撓性フィルムから形成された易開封性包装体を提供する。プルタブ及び引裂帯は、プルタブを一方向に引っ張ることによる引き裂きの開始により、引裂帯に沿った、開始脆弱ラインからの可撓性フィルムの制御された引き裂きを生じるように構成される。
【００１９】
可撓性ラップ包装体１００の励磁的な実施形態を図１に示している。包装体１００は、可撓性フィルムの連続するウェブから形成された包装体１１０を有する。第１、１１４及び第２の１１６横端部シールが、包装体１１０の対向する横端に配置される場合があり、縦シール１１２が、可撓性フィルムの対向する縦縁部を包装体１１０に沿った縦方向に固定する。下に記載するように、縦シール１１２は、図１に示すようなフィンシールである場合があり、または図６Ｂ及び６Ｃに示すようなラップシールであり得る。
【００２０】
縦シール１１２は、包装体１１０の任意の部分に沿って位置付けられる場合がある。例えば、縦シール１１２は、包装体１１０の後側上で、包装体（図示しない）の後側の偏芯で、包装体（図示しない）の側で、または包装体（図示しない）の角／縁で実質的に中央配置される場合があり、包装体１１０の略長さに延在する。縦シール１１２は、既知の製造プロセスを使用して、右または左（「折り畳み方向」）のいずれかに折り畳み得るが、右利きの消費者（人口の大多数を構成する）がより容易に開封できるように縦シール１１２が左に折り畳めることが有益である場合がある。
【００２１】
引裂帯１１８は、包装体１１０を形成する可撓性フィルムを部分的に通して形成された１本以上の脆弱ライン１２０によって画定される。例えば、図１に示す実施形態では、引裂帯１１８が、２本の実質的に平行な脆弱ライン１２０を含む。しかしながら、他の実施形態では、引裂帯１１８は、１本以上の平行な脆弱ライン、または２本以上の平行な脆弱ラインによって画定される場合がある。引裂帯１１８は、略横位置に（例えば、縦シール１１２に対して垂直な包装体の横断方向に）位置付けられ、包装体１１０の少なくとも一部分の周囲に延在する。実質的に平行な脆弱ライン１２０が、任意の適した距離で離間している場合がある。例えば、実施形態では、実質的に平行な脆弱ラインが、約１／５０インチ〜約２インチ、約１／２５インチ〜約２インチ、約１／８インチ〜約２インチ、約１／４インチ〜約１インチ、または約１／４インチ〜約１／２インチの距離で離間している。実施形態では、２本の離間した脆弱ライン間の距離が、縦シール及び／または包装体の幅に関連する場合がある。例えば、離間した脆弱ラインが、より大きいサイズの包装体に対して２インチを超える距離で離間している場合がある。
【００２２】
開始脆弱ライン４１９（図４に示す）は、引裂帯１１８に対して実質的に垂直に位置付けられる場合がある。例えば、実施形態では、開始脆弱ライン４１９が、引裂帯１１８を画定する脆弱ライン１２０に対して実質的に垂直に、かつその間で縦方向に位置付けられ得る。開始脆弱ラインが、好ましくは、縦シール１１２が折り畳み方向で包装体１１０の本体に合致する場所の近位にも位置付けられる。例えば、縦シール１１２が左に折り畳める実施形態では、開始脆弱ライン４１９が、縦シール１１２の左に近接して（すなわち、縦シールを形成するシール領域の近位に、またはそれに隣接して）位置付けられる場合がある。さらに、縦シールがフィンシールである場所では、開始脆弱ラインが、好ましくは、プルタブを画定する切れ目からの可撓性フィルムの反対側に位置付けられ、その結果、いったん包装体が形成されると、開始脆弱ラインが、シール領域の近位に、またはそれに隣接して配置される。
【００２３】
縦シール１１２内に位置付けられたプルタブ１２２は、縦シール１１２内の可撓性フィルムの対向する縦縁部の両方を通る切れ目１２４によって画定される。切れ目１２４は、縦シール１１２のシール領域内に、かつ縦シール１１２の端縁１２５の内側に位置付けられ、その結果プルタブ１２２内の可撓性フィルムの対向する縦縁部が、単一のプルタブ１２２を提供するように共に封止されたままの状態にある。縦シール１１２は、タブ１２２を部分的に、または完全に囲む場合があり、図１に示す実施形態では、縦シール１１２が、タブ１２２を安全に囲む。縦シール１１２のシール領域内に、かつ縦シール１１２の端縁１２５の内側に位置付けられたプルタブ１２２による、包装体の意図しない引き裂きまたは開口の可能性は低い。プルタブを画定する切れ目は、任意の適した形状であり得、その非限定例が、曲面形状（例えば、半円形または半楕円形）（図２Ｂ）または角形（例えば、台形、四角形、または長方形）（図２Ａ）を含み、それが縦シール１１２の端縁１２５の内側に適した距離で位置付けられるという条件で、任意の適したサイズであり得る。プルタブ１２２が製造または取り扱い中に意図せず引っ掛からないように、より曲面または丸い形状など、角形がより少ないプルタブ１２２による、包装体の意図しない引き裂きまたは開口の可能性は低い。例えば、プルタブ１２２を画定する切れ目が、縦シールの幅に部分的に依存して、縦シール１１２の端縁１２５の内側の約１／８インチ〜約１／４インチのところに位置付けられる場合がある。実施形態では、プルタブを画定する切れ目が、縦シール１１２の端縁の内側の約１／８インチ〜約１／５インチ、または約１／８インチ〜約１／６インチのところに位置付けられる場合がある。
【００２４】
開始脆弱ライン４１９、及び引裂帯１１８を画定する脆弱ラインが、可撓性フィルム内の制御された引き裂きを共に開始し、可撓性フィルム内に引裂帯１１８を形成する。例えば、一部の実施形態では、開始脆弱ライン４１９、及び引裂帯１１８を画定する脆弱ライン１２０が、包装体（例えば、Ｕ字形状）の周囲に同じ距離で延在する可撓性フィルム内の２本の実質的に平行なスコアラインを含む場合があり、または包装体（例えば、Ｊ字形状）の周囲に異なる距離で延在する可撓性フィルム内の２本の実質的に平行なスコアラインを含む場合がある。一部の実施形態では、引裂帯１１８が、２本以上の実質的に平行な脆弱スコアライン１２０を含み得る。脆弱ライン１２０が制御された引き裂きを開始するのに十分な量だけ延在するかどうかは、使用される可撓性フィルムの種類、包装体のサイズ、フィルムの配向、接着剤の強度、及び脆弱ラインの深さに部分的に依存する。例えば、実施形態では、引裂帯１１８を画定する脆弱ライン１２０の両方が、包装体１１０の約５％より大きい、包装体１１０の約２５％より大きい、包装体１１０の約５０％より大きい、包装体１１０の約７５％より大きい、または包装体１１０の周囲の実質的に全体の長さまで延在し得る。他の実施形態では、引裂帯１１８を画定する２本の脆弱ライン１２０の各々が、互いに独立して、包装体１１０の約５％より大きい、包装体１１０の約２５％より大きい、包装体１１０の約５０％より大きい、または包装体１１０の約７５％より大きい長さまで延在し得る。
【００２５】
一部の実施形態では、２本以上の脆弱ライン１２０が、縦シール１１２の反対側から縦シール１１２へと後方に延在することなく、包装体１１０を通る、かつその周囲の縦シール１１２の片側のプルタブ１２２の近位から延在し得る。一部のかかる実施形態では、２本以上の脆弱ライン１２０が、包装体１１０を通る、かつその周囲の縦シール１１２の片側のプルタブ１２２の近位から延在し、包装体１１０内で、かつ縦シール１１２の外側で終了する場合があり、Ｊ字形状の末端などの引き裂き末端特徴を含む場合もある。本明細書に記載された平行な脆弱ラインの深さ、長さ、及び形状は、任意の数の平行な脆弱ラインを含む実施形態に当てはまる。
【００２６】
引裂帯１１８及びプルタブ１２２が、横端部シール１１４、１１６間の包装体１１０に沿った任意の位置に位置付けられる場合がある。好ましくは、引裂帯１１８及びプルタブ１２２が、横端部シール１１４、１１６間の中間の周囲から、または横端部シール１１４から包装体１１０の長さの１／３または１／４の周囲に位置付けられる。実施形態では、引裂帯１１８が、横端部シールのうちの別の方より一対の横端部シール１１４及び１１６のうちの１つにより近い包装体１１０の周囲に延在する。好ましくは、引裂帯を画定する脆弱ライン、及びプルタブを画定する切れ目が、実質的に整列する。
【００２７】
プルタブ１２２、引裂帯１１８、及び開始脆弱ライン４１９は、縦シール１１２の折り畳み方向とは反対のＤ方向にプルタブ１２２を引っ張るユーザが、開始脆弱ライン４１９での、かつ引裂帯が縦シール１１２に到達するまで引裂帯１１８を画定する１本以上の脆弱ライン１２０に沿った、可撓性フィルムの制御された引き裂きを開始するように構成される。一部の実施形態では、包装体１１０の上部１３０が、包装体１１０の底部１４０から引き裂かれ得る。上部１３０が底部１４０から引き裂かれ得るかどうかは、縦シールの端縁１２５に対する切れ目１２４の位置（例えば、縦シール内に接続された材料のうちどのくらいの量が残っているか）に部分的に依存する。したがって、一部の実施形態では、包装体１１０の上部１３０が、底部１４０（図示しない）に取り付けられたままの状態である場合がある。
【００２８】
引裂帯を画定する脆弱ライン１２０、開始脆弱ライン４１９、及びプルタブ１２２を画定する切れ目１２４が、各々、互いに独立して、金型の切れ目、スコアライン、ミシン目、またはかかる脆弱ラインを形成するための他の既知の技術のうちの１つ以上によって形成され得る。例えば、実施形態では、引裂帯１１８を画定する脆弱ライン１２０が、可撓性フィルム内の２本の実質的に平行なスコアラインである。引裂帯１１８を画定する脆弱ライン１２０及び終了脆弱ラインの深さが異なる場合があるが、それらは、好ましくは、包装体のバリア特性を維持してその中に含有された製品を保護することによって、可撓性フィルムを実質的に貫通することなく、可撓性フィルムを部分的にのみ通して延在する。
【００２９】
複数の脆弱スコアライン１２０は、可撓性フィルムを部分的にのみ通して延在する可撓性フィルム内に深さを有する。複数の脆弱スコアライン１２０の深さが、その長さに沿って実質的に一定である場合があり、またはその長さに沿って異なる場合がある。一部の実施形態では、複数の脆弱スコアライン１２０の深さが、それら長さの別の部分よりそれらの長さの一部分においてより深い場合がある。一部の実施形態では、複数の脆弱スコアライン１２０の深さが、縦シール１１２を超えて、かつ包装体１１０にわたって延在する、それらの長さの別の部分より、縦シール１１２の縦シール領域の一部分にわたって延在する、それらの長さの一部分においてより深い場合がある。これにより、引裂帯１１８に沿った包装体１１０の開封の開始時の、プルタブ１２２を引っ張る力を少なくすることができる。
【００３０】
包装体を形成するための可撓性フィルムの実施形態の断面を図３に図示している。可撓性フィルムが、単層フィルム（図示しない）、またそのうちのいずれかまたは両方がバリア層としての機能を果たし得る、内フィルム層及び外フィルム層を含む多層フィルムを含む場合がある。印刷及び接着層などの追加の層も、可撓性フィルム層に含まれ得る。例えば、図３に示す可撓性フィルム３１０は、内フィルム層３１２と、外フィルム層３１４と、内フィルム層３１２及び外フィルム層３１４の少なくとも一部分間に配置された接着層３１６と、外フィルム層３１４と接着剤３１６との間に配置された印刷層３１８と、内フィルム層３１２の内面上のパターン化されたコールドシール接着層３２０とを含む。実施形態では、引裂帯及びプルタブが、包装体を開封するための指示（すなわち、「ここを開封する」、「引っ張って開封する」、方向矢印など）を必要に応じて提供し得る、図形に対して位置付けられる場合がある。しかしながら、包装体を形成するための可撓性フィルムが、可撓性フィルム及び包装体の所望の美観及び機能性に依存して、これらの層及び／または追加の層の任意の組み合わせを含み得ることを理解すべきである。したがって、一部の実施形態では、２つ以上のフィルム層が、接着剤と共に積層されるのではなく、共押出されて押出積層を形成する場合がある。
【００３１】
可撓性フィルムの１つ以上の層３１２及び３１４が、同じまたは異なる材料を使用して形成される場合がある。１つ以上の層を形成するのに使用され得る材料の非制限例が、高分子材料、金属化高分子材料、金属箔、紙系材料、及びそれらの組み合わせを含む。包装用途によく使用される、適した高分子材料及び金属化高分子材料が、ポリオレフィン（例えば、ポリエチレン及びポリプロピレン）、ポリアミド、及び他の熱可塑性高分子を含み得る。これらの材料が、キャストフィルムまたは吹き込みフィルムとして製造される場合があり、その後、二軸または一軸配向され得る。例えば、実施形態では、内層３１２が、ポリエチレンテレフタレート（ＰＥＴ）である場合があり、外層３１４が、配向されたＰＥＴまたは二軸配向されたポリプロピレンであり得る。真空蒸着、水性蒸着、スプレー処理、または他の手段により材料を被覆することによって、さらなる機能性が加えられる場合がある。
【００３２】
図３に示さないが、可撓性フィルム３１０内の平行な脆弱ラインが、内層３１２または外層３１４を少なくとも部分的に通して形成される場合がある。
【００３３】
可撓性袋６００の形態での易開封性包装体の例示的な実施形態を図６Ａ〜６Ｄに示している。袋６００は、内フィルム層及び外フィルム層を有する可撓性フィルム６０５の連続するウェブから形成された包装体６１０を有する。第１、６１４及び第２の６１６横端部シールが、包装体６１０の対向する横端に配置される場合があり、縦ラップシール６１２が、可撓性フィルムの対向する縦縁部を包装体６１０に沿った縦方向に固定する。縦ラップシール６１２が、共に接着された第１の縦縁部６１３及び第２の縦縁部６１５と、第１、６１４及び第２の、６１６横端部シールと縦ラップシール６１２との間のフィルム６０５の保管領域６０６とを備える。第１の縦縁部６１３が、第１の縦シール領域６１３ａを備える場合があり、第２の縦縁部６１５が、第２の縦シール領域６１５ａを備える場合があり、第１及び第２の縦シール領域６１３ａ及び６１５ａが、下にさらに詳細に説明するように、互いに接着され得る。包装体６１０、横端部シール６１４及び６１６、ならびに縦ラップシール６１２が、収納空間６０８を画定する。引裂帯６１８が、包装体６１０を形成する可撓性フィルムを部分的に通して形成された１本以上の脆弱ライン６２０ａ及び６２０ｂによって画定される。図６に示す実施形態では、引裂帯６１８が、２本の実質的に平行な脆弱ライン６２０を含む。一部の実施形態では、引裂帯６１８が、２本以上の実質的に平行な脆弱ライン１２０を含む場合がある。縦シール６１２が図６Ａではラップシールであるが、縦シール６１２が、フィンシールである場合もあり、本実施形態の任意の態様が、フィンシール及びラップシールを有する実施形態に適用可能である。
【００３４】
縦ラップシール６１２内に位置付けられたプルタブ６２２が、縦シール６１２を形成する可撓性フィルムの第１の縦縁部６１３を通る切れ目６２４によって画定される。切れ目６２４が、縦ラップシール６１２の未シール領域６１７内に、かつ縦シール６１２の端縁６２５の内側に位置付けられ、その結果第１の縦縁シール領域６１３ａが、切れ目６２４の近位の未シール領域６１７を除いて、第２の縦縁シール領域６１５ａに封止されたままの状態にある。開始脆弱ライン６１９が、第２の縦縁シール領域６１５内の引裂帯６１８に対して実質的に垂直に位置付けられ得る。開始脆弱ライン６１９が、好ましくは、第２の縦縁部６１５内に位置付けられ、その結果それが、プルタブ６２２を画定する金型の切れ目６２４が縦ラップシール６１２の近位の側６２１より近位に配置される第２の縦縁シール領域６１５ａの未シール領域６１７内に位置付けられる。プルタム６２２、開始脆弱ライン６１９、及び引裂帯６１８が、プルタブ６２２を一方向に引っ張ることによる引き裂きの開始により、引裂帯６１８を画定する脆弱ラインに沿った、開始脆弱ライン６１９からの可撓性フィルムの制御された引き裂きを生じるように構成される。
【００３５】
パターン化されたコールドシール接着剤が、第１の対向する縦縁部６１３及び横端部シール６１４、６１６の内フィルム層、及び第２の対向する縦縁部６１５の外フィルム層に適用される場合がある。一部の実施形態では、パターン化されたコールドシール接着剤が、プルタブ６２２の少なくとも一部を実質的に囲むコールドシール接着剤を実質的に含まない空隙（または、縦シールの他の部分に対して接着強度が低減した領域）を含み得る。代替的に、ヒートシールまたは超音波シールを使用して、縦シール６１２及び横端部シール６１４、６１６を形成し得る。
【００３６】
実施形態では、第２の縦縁部６１５の未シール領域６１７、及びプルタブ６２２が、タブを引っ張ることによって包装体を容易に把持し、かつ開封するための、コールドシールまたはヒートシールなどの任意の封止を少なくとも部分的に、または完全に含まない場合がある。
【００３７】
図６Ａ〜６Ｅに示すように、包装体６００が、第１及び第２の対向する縦縁部６１３及び６１５と、第１、６１４及び第２の６１６横端部シールと、その間の保管領域６０６と、第１及び第２の実質的に平行な脆弱ライン６２０ａ及び６２０ｂと、タブの切れ目６２４とを備え、タブの切れ目６２４が、第１の実質的に平行な脆弱ライン６２０ａ、及び第２の実質的に平行な脆弱ライン６２０ｂに非常に近接する端点を有する。例えば、図６Ａに示すように、タブの切れ目６２４の第１の端点が、第１の実質的に平行な脆弱ライン６２０ａの第１の端６４２ａと共同配置され、タブの切れ目６２４の第２の端点が、第２の実質的に平行な脆弱ライン６２０ｂの第１の端６４２ｄと共同配置される。
【００３８】
図６Ａ〜６Ｅに示すように、第１及び第２の対向する縦縁部６１３及び６１５を互いに接着させて縦ラップシールの継ぎ目６１２を形成する場合がある。本実施形態では、第１及び第２の対向する縦縁部６１３及び６１５を、コールドまたはホット接着剤であり得る接着剤を使用して互いに接着させる。しかしながら、接着剤が、加熱封止処理、または当業者に既知の他の手段によって熱活性化される場合もあることを理解すべきである。また、図６Ａ〜６Ｅに示す実施形態が縦シール６１２としてラップシールを有するが、縦シール６１２は、本開示の他の実施形態と共に図示するように、フィンシールである場合もあることを注記されたい。
【００３９】
図６Ａでは、第１の対向する縦縁部６１３が、接着剤により部分的に被覆される。例えば、図示するように、第１の対向する縦縁部６１３が、第１の接着代部６４０ａ及びタブ６２２を除いて、完全に被覆される。しかしながら、一部の実施形態では、第１の接着代部６４０ａが使用されず、その事例では、第１の対向する縦縁部６１３が、タブ６２２を除いて、完全に被覆される場合がある。
【００４０】
第２の対向する縦縁部６１５が、第１の対向する縦縁部６１３とは反対に（例えば、可撓性フィルム６０５にわたって）位置付けられ、第２の接着剤により少なくとも部分的に被覆される。例えば、図示するように、第２の対向する縦縁部６１５が、第２の接着代部６４０ｂを除いて、完全に被覆される。しかしながら、一部の実施形態では、第２の接着代部６４０ｂが使用されず、第２の対向する縦縁部６１５が、完全に被覆される場合がある。第１及び第２の接着代部６４０ａ及び６４０ｂが、包装体６００を形成し、かつ縦シール６１２を封止した後であっても、未接着のままの状態にある。この未接着代部が、接着代部６４０ａ及び６４０ｂで縦シール６１２を引き離すことによって包装体を開封する代替的な方法を容易にする。よって、一部の実施形態では、第１及び第２の対向する縦縁部６１３及び６１５が、それらの全体的な個々の領域にわたって（例えば、それらの全体的な個々の領域の少なくとも９０％にわたって、または完全にわたって）接着される。さらに、第２の対向する縦縁部６１５が第２の対向する縦縁部６１５で第２の接着剤により被覆されるものとして参照されるが、第２の接着剤は、必ずしも第１の接着剤と異なる接着剤である必要はない。例えば、一部の実施形態では、第２の接着剤が、第１の接着剤と異なる接着剤であり得る。しかしながら、他の実施形態では、第２の接着剤が、第１の接着剤と同じである。図のように、対向する縦縁部６１３及び６１５がフィンシールを形成するとき、コールドシール処理を使用して、第１及び第２の対向する縦縁部６１３及び６１５を共に加圧することによって、縦ラップシールの継ぎ目６１２を形成する場合があり、第１の接着剤及び第２の接着剤が同じ接着剤である場合であり、特定量の圧力下で、接着剤が活性化されてそれ自体に接着する場合があるが、未被覆の包装紙（例えば、タブ６２２）ではない。対向する縦縁部６１３及び６１５が、例えばラップシールを形成するとき、パターン化されたシールが、対向する縦縁部６１３及び６１５のうちの１つの内側面に適用される場合があり、次に、対向する縦縁部６１３及び６１５のうちの別の方の外側面に接着される。
【００４１】
したがって、第１の縦縁部６１３が、例えば、第１の縦シール領域６１３ａ、未シール領域６１７、第１の接着代部６４０ａ、タブの切れ目６２４、及び／またはそれらの任意の組み合わせを、追加の要素と共に、または追加の要素を含まずに備え得る。さらに、第２の縦縁部６１５が、例えば、第２の縦シール領域６１５ａ、未シール領域６１７、第２の接着代部６４０ｂ、及び／またはそれらの任意の組み合わせを、追加の要素と共に、または追加の要素を含まずに備え得る。
【００４２】
図６Ａに示すように、第２の実質的に平行な脆弱ライン６２０ｂ、及び第１の実質的に平行な脆弱ライン６２０ａが、フィルム６０５を部分的に通過する。しかしながら、タブの切れ目６２４（例えば、弓形スコア）が、包装紙６５を完全に通過する。一部の実施形態では、第１の実質的に平行な脆弱ライン６２０ａ、第２の実質的に平行な脆弱ライン６２０ｂ、及び／またはタブの切れ目６２４が、レーザースコアである。一部の実施形態では、スコアまたは切れ目６２０ａ及びｂならびに６２４が、ナイフまたは他の機械装置を使用して形成される場合がある。別の機械装置の例として、タブの切れ目６２４が、ナイフまたはレーザーではなく機械パンチ（例えば、穿孔パンチに類似する）を使用して形成される場合がある。
【００４３】
図６Ａに示すように、第１の実質的に平行な脆弱ライン６２０ａが、第１の対向する縦縁シール領域６１３ａ内に位置付けられた第１の実質的に平行な脆弱ライン６２０ａの第１の端６４２ａから、第１の対向する縦縁シール領域６１３ａ（例えば、引裂帯のシール領域６４６）の少なくとも一部分にわたって、保管領域６０６（例えば、第１及び第２の対向する縦縁部６１３及び６１５間の全体的な幅６４４）の少なくとも一部分にわたって、かつ第１の実質的に平行な脆弱ライン６２０ａが第１の実質的に平行な脆弱ライン６２０ａの第２の端６４２ｂで終了するまで、第２の対向する縦縁部６１５に向かって延在する。同様に、第２の実質的に平行な脆弱ライン６２０ｂが、第１の対向する縦縁シール領域６１３ａ内の第２の実質的に平行な脆弱ライン６２０ｂの第１の端６４２ｃから、第１の対向する縦縁シール領域６１３ａの少なくとも一部分にわたって、保管領域６０６の少なくとも一部分にわたって、かつ第２の実質的に平行な脆弱ライン６２０ｂが第２の実質的に平行な脆弱ライン６２０ｂの第２の端６４２ｄで終了するまで、第２の対向する縦縁部６１５に向かって延在する。
【００４４】
図６Ａの例では、タブの切れ目６２４が、第１の実質的に平行な脆弱ライン６２０ａの第１の端６４２ａから、第２の実質的に平行な脆弱ライン６２０ｂの第１の端６４２ｃへと延在して、第１の対向する縦縁部６１３にタブ６２２を提供する。さらに、タブ６２２が、第１の対向する縦縁部６１３の未シール領域６１７上に（例えば図６Ａ及び６Ｂに示すように）位置付けられる。例えば、タブ６２２が、第１の対向する縦縁シール領域６１３ａによって、部分的に、または完全に囲まれる場合がある。これは図６Ａに示されており、第１の対向する縦縁シール領域６１３ａが、タブ６２２を完全に囲んでいる。
【００４５】
一部の実施形態では、図６Ａにも示すように、タブ６２２が、第１の対向する縦縁シール領域６１３ａによって部分的に、または完全に境界付けられる。すなわち、第１の対向する縦縁シール領域６１３ａの境界が、タブ６２２の境界の一部または全部を形成する。さらに、一部の実施形態では、タブ６２２が、タブの切れ目６２４、及び第１の対向する縦縁シール領域６１３ａによって境界付けられる。図６Ａ及び６Ｅに示すように、タブの切れ目６２４が、第１の対応する縦縁シール領域６１３ａの境界上に位置付けられる。しかしながら、一部の実施形態では、タブの切れ目６２４が第１の対向する縦縁部６１３の未シール領域６１７内に位置付けられ、タブの切れ目６２４の少なくとも連続する部分が、第１の対向する縦縁シール領域６１３ａを含む未シール領域６１７の境界から最短距離６５０で離間していることが望ましい。さらに、一部の実施形態では、境界から最短距離６５０で離間しているタブの切れ目６２４の連続する部分が、第１の実質的に平行な脆弱ライン６２０ａの第１の端６４２ａから最短距離６５０内のタブの切れ目６２４の第１の長さ６５２ａを除いて、かつ第２の実質的に平行な脆弱ライン６２０ｂの第１の端６４２ｃから最短距離６５０内のタブの切れ目６２４の第２の長さ６５２ｂを除いて、タブの切れ目６２４の全体的な長さである。例えば、最短距離６５０が、タブの切れ目６２４によって部分的に画定されたタブ６２２のどこも、第２の対向する縦縁部６１５に封止されないことを確実にする助けとなり得る。次に、これが、ユーザがタブ６２２を把持して包装体６００の開封を開始することが容易にする。
【００４６】
図６Ａ及び６Ｂの図に示すように、第１の対向する縦縁部６１３が、タブ６２２を備え、タブ６２２が、接着剤で被覆されない未シール領域６１７に提供される。しかしながら、第１の接着剤で被覆された領域（例えば、第１の対向する縦縁シール領域６１３ａの引裂帯のシール領域６４６）が、タブ６２２と保管領域６０６との間に提供される場合がある。同様に、第２の接着剤で被覆された領域（例えば、第１の対向する縦縁シール領域６１３ａの一部分）が、ダブ６２２と第１の対向する縦縁シール領域６１３ａの外側縁６５４ａとの間に提供される場合がある。一部の実施形態では、最小の長さまたは幅を有する接着剤で被覆された領域を提供することが、接着剤で被覆された領域内の包装体６００の意図しない開封または引き裂きを回避するために有益であり得る。一部の実施形態では、最小の長さまたは幅を有する接着剤で被覆された領域を提供することが、収納空間６０８と外部環境（例えば、包装体６００の外部の周囲の雰囲気）との間のバリアを維持するために有益であり得る。例えば、一部の実施形態では、タブ６２２と保管領域６０６との間の第１の接着剤で被覆された領域にわたる最短距離（例えば、タブ６２２から、保管領域６０６と第１の対向する縦縁シール領域６１３ａとの間の境界６５６までの最短距離）が、少なくとも約０．００５インチに等しい第２の距離６５８である。別の例として、一部の実施形態では、第２の距離６５８が、少なくとも約０．１２５インチである。一部の実施形態では、第２の距離６５８が、約０．００５〜約１０インチである。一部の実施形態では、第２の距離６５８が、約０．１２５インチである。さらに、一部の実施形態では、タブ６２２と第１の対向する縦縁シール領域６１３ａの外側縁６５４ａとの間の第２の接着剤で被覆された領域（例えば、第１の対向する縦縁シール領域６１３ａの一部分）にわたる最短距離が、少なくとも約０．００５インチに等しい第３の距離６６０である。別の例として、一部の実施形態では、第３の距離６６０が、少なくとも約０．１２５である。一部の実施形態では、第３の距離６６０が、約０．００５〜約１０インチである。別の例として、一部の実施形態では、第３の距離６６０が、約０．１２５インチである。
【００４７】
一部の実施形態では、包装体６００が、開封用の単一のタブ６２２（例えば、１つ及び１つのみのタブであり、かつ複数のタブを除く）を備える。例えば、単一のタブ６２２が、第１の対向する縦縁部６１３内に位置付けられ、第２の対向する縦縁部６１５が、開封用のタブ６２２を備えていない。一部の実施形態では、第２の対向する縦縁部６１５が、例えば、実質的に固体で、かつ連続しており（例えば、第２の対向する縦縁部６１５内にスコアまたは切れ目を含まない）、シール６１２に対する増強された構造的剛性を提供し、意図しない引き裂きを回避し、意図しない開封を回避し、かつ／または包装体６００を開封した後に縦シール６１２を通る使い捨て可能な部分６６２とホルダ部分６６４との間の接続を維持する。
【００４８】
図６Ａに示す実施形態では、第１の実質的に平行な脆弱ライン６２０ａと第２の実質的に平行な脆弱ライン６２０ｂとの間のフィルム６０５の引裂帯６１８が、タブ６２２と連続しており、その結果タブ６２２を引っ張ることを利用して包装体６００の残りの部分からタブ６２２及び引裂帯６１８を部分的に、または完全に接続解除し得、ここでは包装体３００を開封する。例えば、包装体６００の残りの部分が、包装紙のホルダ部分６６４と、包装紙の使い捨て可能な部分６６２とを備える場合がある。さらに、包装紙のホルダ部分６６４の関連サイズ、及び包装紙の使い捨て可能な部分６６２が、異なる実施形態では異なっている場合がある。
【００４９】
一部の実施形態では、引裂帯６１８が、タブ６２２に隣接し、かつタブ６２２と保管領域６０６との間に位置付けられた引裂帯のシール領域６４６を備える。引裂帯のシール領域６４６が、接着剤（例えば、第１の接着剤）で被覆される場合があり、図のように、一対の第１の対向する縦縁シール領域６１３ａを形成し、その結果、第１の対向する縦縁部６１３を第２の対向する縦縁部６１５に封止することによって縦シール６１２を形成する際に、縦シール６１２が、収納空間６０８（例えば、食品バーの収納空間）と収納空間６０８の外部の雰囲気との間にバリアを提供する。第１の対向する縦縁部６１３及び第２の対向する縦縁部６１５が共に封止されて縦シール６１２を形成した後に、収納空間６０８が、図６Ａ〜６Ｅに示すように、フィルム６０５の保管領域６０６及び縦シール６１２によって少なくとも部分的に境界付けられる。
【００５０】
一部の実施形態では、収納空間６０６が封止されるのを確実にする助けとなるために、かつフィルム６０５の意図しない引き裂き、及び包装体６００の収納空間３０６の開封を防ぐために、第１の実質的に平行な脆弱ライン６２０ａが、第２の対向する縦縁シール領域６１５ａへと延在せず（例えば、０．０５インチを超えて延在せず、または全く延在しない）、第２の実質的に平行な脆弱ライン６２０ｂが、第２の対向する縦縁シール領域６１５ａへと実質的に延在しない（例えば、０．０５インチを超えて延在せず、または全く延在しない）。例えば、一部の実施形態では、第１の実質的に平行な脆弱ライン６２０ａの第２の端６４２ｄ、及び第２の実質的に平行な脆弱ライン６２０ｂの第２の端６４２ｂが、保管領域６０６と第２の対向する縦縁シール領域６１５ａとの間の境界６６６に、各々およそ位置付けられる。しかしながら、一部の実施形態では、第１の実質的に平行な脆弱ライン６２０ａ、及び／または第２の実質的に平行な脆弱ライン６２０ｂが、第２の対向する縦縁シール領域６１５ａへと部分的に延在して、ユーザがタブ６２２を引っ張ることによって包装体６００を開封するときに、使い捨て可能な部分６６２、タブ６２２、及び／または引裂帯６１８が、ホルダ部分６６４から完全に引き離されることを確実にする助けとなる。
【００５１】
複数の脆弱スコアライン６２０が、可撓性フィルム６０５を部分的にのみ通して延在する可撓性フィルム６０５の深さを有する。複数の脆弱スコアライン６２０の深さが、それらの長さに沿って実質的に一定である場合があり、またはそれらの長さに沿って異なる場合がある。一部の実施形態では、複数の脆弱スコアライン６２０の深さが、それらの長さの別の部分よりそれらの長さの一部分においてより深い場合がある。一部の実施形態では、複数の脆弱スコアライン６２０の深さが、縦シール６１２を超えて、かつ可撓性フィルム６０５の保管領域６０６にわたって延在するそれらの長さの別の部分より、縦シール６１２の縦縁シール領域６１３ａの一部分にわたって延在するそれらの長さの一部分においてより深い場合がある。これにより、引裂帯６１８に沿った包装体６００の開封の開始時にプルタブ６２２を引っ張るときの、力を小さくすることを可能にし得る。
【００５２】
図７は、６つの脆弱スコアライン６２０ａ、６２０ｂ、７２０ａ、７２０ｂ、７２０ｃ、及び７２０ｄを備える本開示の別の可撓性フィルム７０５を示している。図７の可撓性フィルム７０５は、追加の脆弱ライン７２０ａ、７２０ｂ、７２０ｃ、及び７２０ｄを除いて、６Ａの可撓性フィルム６０５と同じであり、したがって、図７の符号は、さもなければ図６Ａのものと同じである。中間脆弱ライン６２０ａ及び６２０ｂは、一対の脆弱ガイドライン７２０ａ及び７２０ｂ、ならびに７２０ｃ及び７２０ｄによって各側上に側面配置される。第１の一対の脆弱ガイドライン７２０ａ及び７２０ｂは、第１の中間脆弱ライン６２０ａから、かつその近位で離間し、引裂帯６１８の引き裂きを誘導し、その結果引裂帯６１８が、第１の一対の脆弱ガイドライン７２０ａ及び７２０ｂ間で、かつ第１の中間脆弱ライン６２０ａに沿って、またはその近位に沿って引き裂ける可能性が高く、第１の一対の脆弱ガイドライン７２０ａ及び７２０ｂから外方に伝播しない。同様に、第２の一対の脆弱ガイドライン７２０ｃ及び７２０ｃは、第２の中間脆弱ライン６２０ｂから、かつその近位で離間し、引裂帯６１８の引き裂きを誘導し、その結果引裂帯６１８が、第２の一対の脆弱ガイドライン７２０ｃ及び７２０ｄ間で、かつ第２の中間脆弱ライン６２０ｂに沿って、またはその近位に沿って引き裂ける可能性が高く、第２の一対の脆弱ガイドライン７２０ｃ及び７２０ｄから外方に伝播しない。一部の実施形態では、第１の中間脆弱ライン６２０ａが、第１の一対の脆弱ガイドライン７２０ａ及び７２０ｂから、約０．５ｍｍ〜約２ｍｍ、または約０．８ｍｍ〜約１．２ｍｍ、または約１ｍｍ、離間している場合がある。同様に、一部の実施形態では、第１の中間脆弱ライン６２０ｂが、第１の一対の脆弱ガイドライン７２０ｃ及び７２０ｄから、約０．５ｍｍ〜約２ｍｍ、または約０．８ｍｍ〜約１．２ｍｍ、または約１ｍｍ、離間している場合がある。一部の実施形態では、中間脆弱ライン６２０ａ及び６２０ｂが、第１の縦シール領域６１３へと、タブの切れ目６２４の個々の第１及び第２の端点での個々の第１の端６４２ａ及び６４２ｄから、次に、可撓性フィルム７０５の保管領域６０６の少なくとも一部分にわたって延在している場合があり、脆弱ガイドライン７２０ａ及び７２０ｂ、ならびに７２０ｃ及び７２０ｄが、タブの切れ目６２４から延在していないが、むしろタブ６２２から内方に離間し、かつ保管領域６０６と第１の対向する縦縁シール領域６１３ａの間の境界６５６の周囲から、かつ保管領域６０６の少なくとも一部分にわたって延在する。一部の実施形態では、脆弱ガイドライン７２０ａ及び７２０ｂ、ならびに７２０ｃ及び７２０ｄが、タブ６２２から内方に、約１／１６インチ〜約１／４インチ、または約１／８インチ、離間している。
【００５３】
また別の実施形態によると、図示しないが、包装体６００が、１つ以上のガセット、及び製造された包装体６００が、かかるガセットを形成するように構成されたフィルムのうちの１つ以上の部分を含む、可撓性フィルム６０５を含む場合がある。一部のかかる実施形態では、引裂帯が、ガセットのうちの少なくとも１つに少なくとも部分的に、または完全にわたって延在し得る。かかる実施形態の一部では、縦シール及びその中のタブが、ガセットのうちの１つ以上内に、またはその近位にある場合がある。これらの実施形態のさらに一部では、引裂帯を引き離すことにより、注出口を提供し得る。
【００５４】
別の態様では、易開封性包装体を製造する方法を提供する。一部の実施形態では、本方法は、内フィルム層及び外フィルム層を備える可撓性フィルムの連続するウェブを提供し、内または外フィルム層のいずれかに引裂帯を画定する１本以上の脆弱ラインを形成し、内または外フィルム層のいずれかに開始脆弱ラインを形成し、可撓性フィルムの対向する縦縁部に接合することによって製品の周囲の可撓性フィルムを折り畳んで縦シールを形成し、かつ可撓性フィルムを封止して包装体の横端にわたって延在する横シール領域を形成することによって少なくとも１つの横端部シールを形成することを含み得る。プルタブを画定する可撓性フィルムを通る切れ目が、製品の周囲で可撓性フィルムを折り畳み、または可撓性袋を形成する前に、もしくは縦シールを形成した後に、可撓性フィルムの対向する縦縁部のうちの１つまたは両方に形成される場合がある。
【００５５】
実施形態では、引裂帯を画定する１本以上の脆弱ライン、開始脆弱ライン、及びプルタブを画定する切れ目が、当業者に既知の任意の適した方法を使用して可撓性フィルム内に形成される場合があり、その非限定例が、切削金型、またはレーザーなどの切削工具を使用することを含む。これらの特徴が、製品の包装に対するオフラインまたはインラインプロセスにおいて可撓性フィルム内に形成される場合があり、特に、水平及び垂直の両方の形態のフィルシール動作において形成される場合もある。例えば、これらの特徴が、可撓性フィルムが包装体に形成され、製品が充填され、かつ封止される直前に、インラインで可撓性フィルム内に形成される場合がある。代替的に、これらの特徴が、可撓性フィルム内に形成され、包装コンバータによってリール上に巻かれ、次に包装器具へと装荷される場合があり、次にそれが巻き解かれ、包装体へと形成され、製品が充填され、かつ封止される。
【００５６】
本明細書で提供された易開封性包装体は、多様な製品、具体的には可撓性フィルムが配置されたトレイに含有された剛性または半剛性の食品または製品を包含するのに使用され得る。例えば、易開封性包装体が、チョコレート及び砂糖菓子製品、栄養補助食品、クッキー、クラッカー、ビスケットなどの食品に対して使用され得る。易開封性包装体は、消費者が包装体の横端からアクセスすることを望む製品と共に使用するのに特に適している。
【００５７】
グラノーラバーまたはキャンディバーなどの食品を含む易開封性包装体の使用の例示的な実施形態の概略図を図５Ａ〜５Ｃ及び図６Ｃ〜６Ｄに示している。消費者は、未開封の包装体（図５Ａ）を手に取り、プルタブを把持し、縦シールの折り畳み方向と反対の方向に引っ張って、引裂帯（図５Ｂまたは６Ｃ）を画定する脆弱ラインに沿った可撓性フィルムの制御された引き裂きを生じ、かつ包装体の上部の横端部シールを把持して後ろに引っ張って包装体（図５Ｃまたは６Ｄ）の横端に完全なアクセス開口を形成することによってその中の内容物を露出させ得る。包装体の上部は、包装体の底部から全体的に離間し、または包装体の底部に部分的に固着したままの状態であり得る。
【００５８】
制御された引き裂きにより開封が容易であり、または容易に開封可能であることに加えて、本明細書に記載した実施形態は、包装体の意図しない引き裂きまたは開封の可能性を低減もする。したがって、これらの特徴が、包装体の内容物が包装体の外部の雰囲気に意図せず露出される可能性を低減し、特に、食品などの包装体の内容物が損なわれる可能性を低減する。
【００５９】
包装された製品は、任意の適した包装方法、具体的には、上に記載の特徴を有する可撓性フィルムのロールを使用した形成、充填及び封止方法を使用して製造される場合がある。例えば、一定の実施形態では、製品を包装する方法が、内フィルム層、外フィルム層、ならびに内及び外フィルム層間に配置された接着剤を含む可撓性フィルムのロール、及び引裂帯を画定する１本以上の脆弱ライン、開始脆弱ライン、及び可撓性フィルム内のプルタブを画定する切れ目を提供することを含む。次に、可撓性フィルムを製品（またはトレイ）の周囲で折り畳む場合があり、可撓性フィルムの対向する縦縁部を接合することによって縦シールが形成される場合があり、可撓性フィルムの対向する横縁に２つの横端部シールが形成され得る。代替的に、可撓性フィルムが、可撓性フィルム（図６Ｂ）の対向する縦縁部を接合することによって縦シールを形成し、第１の横端部シールを形成し、包装体に製品を充填し、かつ第２の横端部シール（例えば、垂直形態のフィルシールプロセス）を形成することによって可撓性袋へと最初に形成される場合がある。
【００６０】
一定の実施形態（図４）では、内フィルム層、外フィルム層、外フィルム層内の２つの実質的に平行な脆弱ライン４２０によって画定された引裂帯４１８、及び可撓性フィルムの対向する縦縁部４２５ａ、４２５ｂを通る切れ目４２４ａ、４２４ｂによって画定されたプルタブ４２２ａ、４２２ｂを有する可撓性フィルム４００の連続するウェブのロールが提供される。開始脆弱ライン４１９が、引裂帯４１８を画定する２つの実質的に平行な脆弱ライン４２０間に位置付けられる。ロールは、複数の包装体を形成するのに適している場合がある。パターン化されたコールドシール接着剤が、縦シール４１２ａ、４１２ｂ、及び横端部シール４１４、４１６を形成するために内フィルム層に適用される場合がある。一部の実施形態では、パターン化されたコールドシール接着剤が、プルタブ４２２ａ、４２２ｂの少なくとも一部を実質的に囲むコールドシール接着剤を実質的に含まない空隙４２６ａ、４２６ｂ（または、シール及び継ぎ目の他の部分に対して接着強度が低減された領域）を含む場合があり、ここではユーザがより容易にプルタブ４２２ａ、４２２ｂを把持して包装体を開封することを可能にする。代替的に、ヒートシールまたは超音波シールを使用して縦シール４１２ａ、４１２ｂ、及び横端部シール４１４、４１６を形成し得る。ヒートシールを使用するとき、プルタブの少なくとも一部分にリリースラッカーが適用される場合があり、かつ／またはパターン化されたヒートシールジョーが、プルタブの周辺の形状で使用される場合がある。実施形態では、可撓性フィルムのロールが、各製品の周囲でそれを順に折り畳む機械を通して供給される場合があり、その結果対向する縦縁部が接触し、かつ共に結合されて縦シールを形成する。次に、可撓性フィルムが、製品の対向する端で捲縮され、または結合されて横端部シールを形成する場合があり、かつ可撓性フィルムは、可撓性フィルムのロールの残りの部分から各包装された製品を引き離すための切れ目であり得る。
【００６１】
別の実施形態では、可撓性フィルム６０５（巻き解かれた形態（図６Ａ）で示す）の連続するウェブのロールを提供する。ロールは、複数の包装体を形成するのに適している場合がある。
【００６２】
比較例
【００６３】
一部の実施形態では、第２の実質的に平行な脆弱ライン６２０ｂが、第１の実質的に平行な脆弱ライン６２０ａから少なくとも第１の距離６６８で離間している。例えば、第１の距離６６８が、約１／１６〜約２．５インチ、または約１／８〜約１．５インチであり得る。別の例として、第１の距離６６８が、約０．５００インチであり得る。
【００６４】
一部の実施形態では、フィルム６０５の第１の端６７２からフィルム６０５の第２の端６７４までの長さ６７０が、少なくとも約１／２インチである。一部の実施形態では、長さ６７０が、約１／２インチ〜約１６インチである。一部の実施形態では、長さ６７０が、約４インチ〜約７インチである。別の例では、長さ６７０が、５．７５０インチであり得る。
【００６５】
一部の実施形態では、フィルム６０５の第１の縁６７８ａからフィルム６０５の第２の縁６７８ｂまでの幅６７６が、少なくとも約１／２インチである。一部の実施形態では、幅６７６が、約１／２インチ〜約１６インチである。一部の実施形態では、幅６７６が、約４インチ〜約７インチである。別の例では、幅６７６が、４．３７５インチであり得る。
【００６６】
一部の実施形態では、タブの切れ目６２４が、曲面スコア（例えば、点６８０ａから固定距離６８０ｂで曲線によって画定されたスコアなどの、弓形スコア、楕円形スコア、円形スコア）である。例えば、一部の実施形態では、タブの切れ目６２４が、少なくとも約１／８インチである曲率の軸６８０ａ及び曲率の半径６８０ｂ（例えば、曲率の軸６８０ａからタブの切れ目６２４までの距離）を有する。一部の実施形態では、曲率の半径６８０ｂが、約１／８インチ〜約３インチである。一部の実施形態では、曲率の半径６８０ｂが、約１／８インチ〜約２．５インチである。別の例では、曲率の半径６８０ｂが、約０．２５０インチであり得る。
【００６７】
一部の実施形態では、フィルム６０５の第１の端６７２からタブの切れ目６２４の曲率の軸６８０ａまでの第５の距離６８２が、少なくとも約０．６５インチであり、または平均すると約０．６５インチになる。一部の実施形態では、第５の距離６８２が、約０．６５インチ〜約５．２５インチであり得、または平均すると約０．６５インチ〜約５．２５インチになり得る。一部の実施形態では、第５の距離６８２が、約２．０００インチであり得、または平均すると約２．０００インチになり得る。
【００６８】
一部の実施形態では、第１の横端部シール６１４の長さ６８４が、少なくとも約１／８インチであり、または平均すると約１／８インチになる。一部の実施形態では、長さ６８４が、約１／８インチ〜約５インチであり、または平均すると約１／８インチ〜約５インチになる。別の例では、長さ６８４が、約０．６２５インチであり得、または平均すると約０．６２５インチになり得る。
【００６９】
一部の実施形態では、第２の横端部シール６１６の長さ６８６が、少なくとも約１／８インチであり、または平均すると少なくとも約１／８インチになる。一部の実施形態では、長さ６８６が、約１／８〜約５インチであり、または平均すると約１／８〜約５インチになる。別の例では、長さ６８６が、約０．６２５であり、または平均すると約０．６２５インチになる。
【００７０】
一部の実施形態では、第１の横端部シール６１４と第２の横端部シール６１６との間の保管領域６０６の長さ６８８が、少なくとも約１／２インチであり、または平均すると約１／２インチになる。一部の実施形態では、長さ６８８が、少なくとも約４インチ、または約４．５インチである。一部の実施形態では、長さ６８８が、約４〜約５インチである。別の例では、長さ６８８が、約４．５００インチであり得、または平均すると約４．５００インチになる。
【００７１】
一部の実施形態では、第１の対向する縦縁シール領域６１３ａと第２の対向する縦縁シール領域６１５ａとの間の保管領域６０６の幅６９０が、少なくとも約２インチであり、または平均すると約２インチになる。一部の実施形態では、幅６９０が、約２インチ〜約４インチであり、または平均すると約２インチ〜約４インチになる。別の例では、幅６９０が、約３．００１インチであり得、または平均すると約３．００１インチになり得る。
【００７２】
一部の実施形態では、第１の接着代部６４０ａの幅６９２が、少なくとも約０．０３インチであり、または平均すると少なくとも約０．０３インチになる。一部の実施形態では、幅６９２が、約０．０４〜約０．０８インチであり、または平均すると約０．０４〜約０．０８インチになる。別の例では、幅６９２が、０．０６２インチであり得、または平均すると約０．０６２インチになり得る。しかしながら、一部の実施形態は、接着代部６４０ａを備えていない。
【００７３】
一部の実施形態では、第２の接着代部６４０ｂの幅６９４が、少なくとも約０．０３インチであり、または平均すると少なくとも約０．０３インチになる。一部の実施形態では、幅６９４が、約０．０４〜約０．０８インチであり、または平均すると約０．０４〜約０．０８インチになる。別の例では、幅６９４が、約０．０６２インチであり得、または平均すると約０．０６２インチになり得る。しかしながら、一部の実施形態は、接着代部６４０ｂを備えていない。
【００７４】
一部の実施形態では、第１の対向する縦縁シール領域６１３ａの幅６９６が、少なくとも約１／８インチであり、または平均すると少なくとも約１／８インチになる。一部の実施形態では、幅６９６が、約１／８インチ〜約５インチであり、または平均すると約１／８インチ〜約５インチになる。一部の実施形態では、幅６９６が、約０．２５インチ〜約０．７５インチである。別の例では、幅６９６が、約０．５００インチであり得、または平均すると約０．５００インチになり得る。
【００７５】
一部の実施形態では、第２の対向する縦縁シール領域６１５ａの幅６９８が、少なくとも約１／８インチであり、または平均すると少なくとも約１／８インチになる。一部の実施形態では、幅６９８が、約１／８インチ〜約５インチであり、または平均すると約１／８インチ〜約５インチになる。一部の実施形態では、幅６９８が、約０．５インチ〜約１．０インチである。別の例では、幅６９８が、約０．７５０インチであり得、または平均すると約０．７５０インチになり得る。
【００７６】
一部の大型の実施形態では、第１の対向する縦縁シール領域６１３ａと第２の対向する縦縁シール領域６１５ａとの間の保管領域６０６の幅６９０が、約６インチ〜約３７．５インチ、または約２０インチ〜約３７．５インチ、または約３０インチ〜約３７．５インチであり、または平均すると約６インチ〜約３７．５インチ、または約２０インチ〜約３７．５インチ、または約３０インチ〜約３７．５インチになり、高さまたは長さ６７０が、約５インチ〜約５０インチ、または約３０インチ〜約５０インチ、または約４０インチ〜約５０インチであり、または平均すると約５インチ〜約５０インチ、または約３０インチ〜約５０インチ、または約４０インチ〜約５０インチになる。
【００７７】
追加の実施形態
【００７８】
下記の付記は、開示された本発明のさらなる明細書として提供される。
【００７９】
付記１。易開封性包装体であって、
【００８０】
一対の横端部シールと、それらの略間の縦シールとを有する可撓性フィルムから形成された包装体であって、縦シールが、可撓性フィルムの第２の縦縁部に封止された可撓性フィルムの第１の縦縁部間にシール領域を備える、包装体と、
【００８１】
可撓性フィルムを部分的に通して配置された脆弱ラインによって画定された引裂帯と、
【００８２】
縦シール内に位置付けられ、かつ縦シール内の可撓性フィルムの第１の縦縁部及び第２の縦縁部の両方を通る切れ目によって画定されたプルタブであって、切れ目が、シール領域内に、かつ縦シールの端縁の内側に位置付けられる、プルタブと、を備え、
【００８３】
引裂帯を画定する脆弱ラインが、包装体の周囲に延在する１本以上のラインを備え、脆弱ラインが、プルタブ及び縦シールの近位から、包装体の少なくとも一部の周囲に延在し、
【００８４】
プルタブ及び引裂帯が、プルタブを一方向に引っ張ることによる引き裂きの開始により、引裂帯を画定する脆弱ラインに沿った、可撓性フィルムの制御された引き裂きを生じるように構成される、易開封性包装体。
【００８５】
付記２。脆弱ラインが、開始脆弱ラインから、包装体の少なくとも一部の周囲に延在し、プルタブ、開始脆弱ライン、及び引裂帯が、プルタブを一方向に引っ張ることによる引き裂きの開始により、引裂帯を画定する脆弱ラインに沿った、開始脆弱ラインからの可撓性フィルムの制御された引き裂きを生じるように構成される、付記１に記載の包装体。
【００８６】
付記３。一対の横端部シール及び縦シールのうちの１つ以上が、ヒートシールを備える、付記１に記載の包装体。
【００８７】
付記４。一対の横端部シール及び縦シールのうちの１つ以上が、コールドシールを備える、付記１に記載の包装体。
【００８８】
付記５。縦シールが、プルタブを引っ張るための一方向とは反対の方向にある、付記１に記載の包装体。
【００８９】
付記６。可撓性フィルムが、外層及び内層を備える少なくとも２つの層を備える、付記１に記載の包装体。
【００９０】
付記７。脆弱ラインが、外層を少なくとも部分的に通して延在する、付記６に記載の包装体。
【００９１】
付記８。脆弱ラインが、内層を少なくとも部分的に通して延在する、付記６に記載の包装体。
【００９２】
付記９項。脆弱ラインが、外層を少なくとも部分的に通して、かつ外層のみを通して延在する、付記６に記載の包装体。
【００９３】
付記１０。脆弱ラインが、可撓性フィルムを部分的にのみ通して延在する、付記１に記載の包装体。
【００９４】
付記１１。引裂帯が、タブと連続している、付記１に記載の包装体。
【００９５】
付記１２。可撓性フィルムが、外層と内層との間に配置された印刷層及び永久接着剤をさらに備える、付記６に記載の包装体。
【００９６】
付記１３。印刷層が、包装体を開封するための指示を提供する図形を含む、付記１２に記載の包装体。
【００９７】
付記１４。脆弱ラインが、２本の実質的に平行な脆弱ラインを備える、付記１に記載の包装体。
【００９８】
付記１５。２本の実質的に平行なラインが、約１／８インチ〜約２インチの距離で離間している、付記１４に記載の包装体。
【００９９】
付記１６。２本の実質的に平行なラインが、約１／４インチ〜約１インチの距離で離間している、付記１４に記載の包装体。
【０１００】
付記１７。２本の実質的に平行なラインが、約１／４インチ〜約１／２インチの距離で離間している、付記１４に記載の包装体。
【０１０１】
付記１８。切れ目が、２本の実質的に平行な脆弱ラインのうちの１本から、２本の実質的に平行な脆弱ラインのうちの別の方へと延在する、付記１４に記載の包装体。
【０１０２】
付記１９。プルタブが、縦シールの端縁から約１／１０インチ〜約１／２インチのところに位置付けられる、付記１４に記載の包装体。
【０１０３】
付記２０。プルタブが、縦シールの端縁から約１／８インチ〜約１／４インチのところに位置付けられる、付記１に記載の包装体。
【０１０４】
付記２１。プルタブが、曲面形状を備える、付記１に記載の包装体。
【０１０５】
付記２２。プルタブが、角形を備える、付記１に記載の包装体。
【０１０６】
付記２３。角形が、台形を備える、付記２２に記載の包装体。
【０１０７】
付記２４。脆弱ラインが、第１及び第２の縦縁部のうちの別の方へと実質的に延在することなく、包装体の少なくとも一部の周囲の第１及び第２の縦縁部のうちの１つの近位から延在する、付記１に記載の包装体。
【０１０８】
付記２５。包装体が、収納空間を画定し、かつタブと収納空間との間にシールをさらに備える、付記１に記載の包装体。
【０１０９】
付記２６。１本以上の脆弱ライン及び切れ目が、レーザー刻設される、付記１に記載の包装体。
【０１１０】
付記２７。縦シールが、未接着外側代部をさらに備える、付記１に記載の包装体。
【０１１１】
付記２８。引裂帯が、横シールのうちの別の方より一対の横シールのうちの１つにより近い包装体の周囲に延在する、付記１に記載の包装体。
【０１１２】
付記２９。易開封性包装体を形成するための可撓性フィルムであって、可撓性フィルムが、
【０１１３】
一対の横端部シール領域と、
【０１１４】
横端部シール領域の略間の一対の縦縁部と、
【０１１５】
横端部シール領域の略間に、かつ一対の縦縁部の略間に延在する保管領域と、
【０１１６】
可撓性フィルムを部分的に通して配置された脆弱ラインによって画定された引裂帯であって、引裂帯を画定する脆弱ラインが、保管領域に少なくとも部分的に沿って延在する１本以上のラインを備える、引裂帯と、
【０１１７】
一対の縦縁部のうちの１つを通る第１の切れ目と、一対の縦縁領域のうちの別の方を通る第２の切れ目と、を備え、
【０１１８】
一対の横端部シール領域、一対の縦縁部、保管領域、引裂帯、及び第１及び第２の切れ目が、一対の横端部シール領域をそれ自体に接着させて一対の横端部シールを形成し、一対の縦縁部を互いに接着させて縦縁部間のシール領域を含む縦シールを形成し、かつ第１及び第２の切れ目を整列させて縦シール内に位置付けられ、縦シール内に、かつ縦シールの端縁の内側に位置付けられたプルタブを画定することによって、可撓性フィルムを折り畳んで包装体を形成し得るように構成され、
【０１１９】
包装体が形成されるとき、脆弱ラインが、プルタブ及び縦シールの近位から、包装体の少なくとも一部の周囲に延在し、
【０１２０】
プルタブ及び引裂帯が、包装体が形成されるとき、プルタブを一方向に引っ張ることによる引き裂きの開始により、引裂帯を画定する脆弱ラインに沿った、可撓性フィルムの制御された引き裂きを生じるように構成される、可撓性フィルム。
【０１２１】
付記３０。付記１に記載の可撓性フィルムのロール。
【０１２２】
付記３１。易開封性包装体であって、
【０１２３】
一対の横端部シールと、それらの略間の縦シールとを有する可撓性フィルムから形成された包装体であって、縦シールが、可撓性フィルムの第２の縦縁部に封止された可撓性フィルムの第１の縦縁部間にシール領域を備える、包装体と、
【０１２４】
可撓性フィルムを部分的に通して配置された脆弱ラインによって画定された引裂帯と、
【０１２５】
縦シール内に位置付けられ、かつ縦ラップシール内の可撓性フィルムの第１の縦縁部を通る切れ目によって画定されたプルタブであって、切れ目が、シール領域内に、かつ縦シールの端縁の内側に位置付けられる、プルタブと、を備え、
【０１２６】
引裂帯を画定する脆弱ラインが、包装体の周囲に延在する１本以上のラインを備え、脆弱ラインが、プルタブ、及び縦シールを形成する可撓性フィルムの第１の縦縁部の近位から延在し、
【０１２７】
プルタブ及び引裂帯が、プルタブを一方向に引っ張ることによる引き裂きの開始により、引裂帯を画定する脆弱ラインに沿った、可撓性フィルムの制御された引き裂きを生じるように構成される、易開封性包装体。
【０１２８】
付記３２。脆弱ラインが、開始脆弱ラインから、包装体の少なくとも一部の周囲に延在し、開始脆弱ラインが、縦ラップシールを形成する可撓性フィルムの第２の縦縁部内に位置付けられ、プルタブ、開始脆弱ライン、及び引裂帯が、プルタブを一方向に引っ張ることによる引き裂きの開始により、引裂帯を画定する脆弱ラインに沿った、開始脆弱ラインからの可撓性フィルムの制御された引き裂きを生じるように構成される、付記３１に記載の包装体。
【０１２９】
付記３３。開始脆弱ラインが、第１の縦縁部のプルタブに隣接する領域内の可撓性フィルムの第２の縦縁部内に位置付けられる、付記３１に記載の包装体。
【０１３０】
付記３４。一対の横端部シール及び縦ラップシールのうちの１つ以上が、ヒートシールを備える、付記３１に記載の包装体。
【０１３１】
付記３５。一対の横端部シール及び縦ラップシールのうちの１つ以上が、コールドシールを備える、付記３１に記載の包装体。
【０１３２】
付記３６。可撓性フィルムが、外層及び内層を備える少なくとも２つの層を備える、付記３１に記載の包装体。
【０１３３】
付記３７。脆弱ラインが、外層を少なくとも部分的に通して延在する、付記３６に記載の包装体。
【０１３４】
付記３８。脆弱ラインが、内層を少なくとも部分的に通して延在する、付記３６に記載の包装体。
【０１３５】
付記３９。脆弱ラインが、外層を少なくとも部分的に通して、かつ外層のみを通して延在する、付記３６に記載の包装体。
【０１３６】
付記４０。脆弱ラインが、可撓性フィルムを部分的にのみ通して延在する、付記３１に記載の包装体。
【０１３７】
付記４１。引裂帯が、タブと連続している、付記３１に記載の包装体。
【０１３８】
付記４２。可撓性フィルムが、外層と内層との間に配置された印刷層及び永久接着剤をさらに備える、付記３６に記載の包装体。
【０１３９】
付記４３。印刷層が、包装体を開封するための指示を提供する図形を含む、付記４２に記載の包装体。
【０１４０】
付記４４。脆弱ラインが、２本の実質的に平行な脆弱ラインを備える、付記３１に記載の包装体。
【０１４１】
付記４５。２本の実質的に平行なラインが、約１／８インチ〜約２インチの距離で離間している、付記４４に記載の包装体。
【０１４２】
付記４６。２本の実質的に平行なラインが、約１／４インチ〜約１インチの距離で離間している、付記４４に記載の包装体。
【０１４３】
付記４７。２本の実質的に平行なラインが、約１／４インチ〜約１／２インチの距離で離間している、付記４４に記載の包装体。
【０１４４】
付記４８。切れ目が、２本の実質的に平行な脆弱ラインのうちの１本から、２本の実質的に平行な脆弱ラインのうちの別の方へと延在する、付記４４に記載の包装体。
【０１４５】
付記４９。プルタブが、縦ラップシールの第１の縦縁部の端縁から約１／１０インチ〜約１／２インチのところに位置付けられる、付記３１に記載の包装体。
【０１４６】
付記５０。プルタブが、縦ラップシールの第１の縦縁部の端縁から約１／８インチ〜約１／４インチのところに位置付けられる、付記３１に記載の包装体。
【０１４７】
付記５１。プルタブが、曲面形状を備える、付記３１に記載の包装体。
【０１４８】
付記５２。プルタブが、角形を備える、付記３１に記載の包装体。
【０１４９】
付記５３。角形が、台形を備える、付記５２に記載の包装体。
【０１５０】
付記５４。切れ目を囲む縦ラップシールが、接着剤を実質的に含まない領域をさらに備える、付記３１に記載の包装体。
【０１５１】
付記５５。脆弱ラインが、第２の縦縁部へと実質的に延在することなく、包装体の少なくとも一部の周囲の第１の縦縁部の近位から延在する、付記３１に記載の包装体。
【０１５２】
付記５６。包装体、横端部シール、及び縦ラップシールが、収納空間を画定し、かつ縦ラップシールが、タブと収納空間との間に封止部分をさらに備える、付記３１に記載の包装体。
【０１５３】
付記５７。１本以上の脆弱ライン及び切れ目が、レーザー刻設される、付記３１に記載の包装体。
【０１５４】
付記５８。縦シールが、未接着外側代部をさらに備える、付記３１に記載の包装体。
【０１５５】
付記５９。引裂帯が、横シールのうちの別の方より一対の横シールのうちの１つにより近い包装体の周囲に延在する、付記３１に記載の包装体。
【０１５６】
付記６０。縦シールが、ラップシールである、付記３１に記載の包装体。
【０１５７】
付記６１。易開封性包装体を形成するための可撓性フィルムであって、可撓性フィルムが、
【０１５８】
一対の横端部シール領域と、
【０１５９】
横端部シール領域の略間の一対の縦縁部と、
【０１６０】
横端部シール領域の略間に、かつ一対の縦縁部の略間に延在する保管領域と、
【０１６１】
可撓性フィルムを部分的に通して配置された脆弱ラインによって画定された引裂帯であって、引裂帯を画定する脆弱ラインが、保管領域に少なくとも部分的に沿って延在する１本以上のラインを備える、引裂帯と、
【０１６２】
一対の縦縁部のうちの１つを通る切れ目と、を備え、
【０１６３】
一対の横端部シール領域、一対の縦領域部、保管領域、引裂帯、及び第１及び第２の切れ目が、一対の横端部シール領域をそれ自体に接着させて一対の横端部シールを形成し、一対の縦縁部を互いに接着させて縦縁部間のシール領域を含む縦シールを形成し、かつ切れ目を整列させて縦シール内に位置付けられ、縦縁部のうちの１つ内に、かつ縦シールの端縁の内側に位置付けられたプルタブを画定することによって、可撓性フィルムを折り畳んで包装体を形成し得るように構成され、
【０１６４】
包装体が形成されるとき、脆弱ラインが、プルタブ及び縦シールの近位から、包装体の少なくとも一部の周囲に延在し、
【０１６５】
プルタブ及び引裂帯が、包装体が形成されるとき、プルタブを一方向に引っ張ることによる引き裂きの開始により、引裂帯を画定する脆弱ラインに沿った、可撓性フィルムの制御された引き裂きを生じるように構成される、可撓性フィルム。
【０１６６】
付記６２。縦シールが、ラップシールである、付記６１に記載の可撓性フィルム。
【０１６７】
付記６３。付記６１に記載の可撓性フィルムのロール。
【０１６８】
本発明はその特定の実施形態に関して詳細に記載されているが、当業者が、前述の理解を達成した際に、これらの実施形態に対する代替物、変更例、及び等価物を容易に考案し得ることが理解されるだろう。したがって、本発明の範囲は、付属の特許請求の範囲、及びその任意の等価物の範囲として評価されるべきである。
【図１】
2017538636.tif 000003
【図２Ａ】
2017538636.tif 000004
【図２Ｂ】
2017538636.tif 000005
【図３】
2017538636.tif 000006
【図４】
2017538636.tif 000007
【図５Ａ】
2017538636.tif 000008
【図５Ｂ】
2017538636.tif 000009
【図５Ｃ】
2017538636.tif 000010
【図６Ａ】
2017538636.tif 000011
【図６Ｂ】
2017538636.tif 000012
【図６Ｃ】
2017538636.tif 000013
【図６Ｄ】
2017538636.tif 000014
【図６Ｅ】
2017538636.tif 000015
【図７】
2017538636.tif 000016
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
易開封性包装体であって、
一対の横端部シールと、それらの略間の縦フィンシールとを有する可撓性フィルムから形成された包装体であって、前記縦フィンシールが、
前記可撓性フィルムの第２の縦縁部に封止された前記可撓性フィルムの第１の縦縁部間のシール領域と、
接着剤を実質的に含まない空隙、または前記シール領域に対して低減された接着強度を有する領域と、を備える、包装体と、
前記可撓性フィルムを部分的に通して配置された脆弱ラインによって画定された引裂帯と、
前記縦フィンシール内に位置付けられ、かつ前記縦フィンシール内の前記可撓性フィルムの前記第１の縦縁部及び前記第２の縦縁部の両方を通る切れ目によって画定されたプルタブであって、前記切れ目が、前記シール領域内に、かつ前記縦フィンシールの端縁の内側に位置付けられ、前記引裂帯を画定する前記脆弱ラインが、前記包装体の周囲に延在する１本以上のラインを備え、前記脆弱ラインが、前記プルタブ及び前記縦フィンシールの近位から、前記包装体の少なくとも一部の周囲に延在する、プルタブと、を備え、
前記プルタブ及び前記引裂帯が、前記プルタブを一方向に引っ張ることによる引き裂きの開始により、前記引裂帯を画定する前記脆弱ラインに沿った、前記可撓性フィルムの制御された引き裂きを生じるように構成され、
前記空隙または前記低減された接着剤を有する前記領域が、前記プルタブの少なくとも一部を実質的に囲む、易開封性包装体。
【請求項２】
前記脆弱ラインが、開始脆弱ラインから、前記包装体の前記少なくとも一部の周囲に延在し、前記プルタブ、前記開始脆弱ライン、及び前記引裂帯が、前記プルタブを前記一方向に引っ張ることによる前記引き裂きの開始により、前記引裂帯を画定する前記脆弱ラインに沿った、前記開始脆弱ラインからの前記可撓性フィルムの制御された引き裂きを生じるように構成される、請求項１に記載の包装体。
【請求項３】
前記一対の横端部シール及び前記縦フィンシールのうちの１つ以上が、ヒートシールを備える、請求項１に記載の包装体。
【請求項４】
前記一対の横端部シール及び前記縦フィンシールのうちの１つ以上が、コールドシールを備える、請求項１に記載の包装体。
【請求項５】
前記縦フィンシールが、前記プルタブを引っ張るための前記一方向とは反対の方向にある、請求項１に記載の包装体。
【請求項６】
前記可撓性フィルムが、外層及び内層を備える少なくとも２つの層を備える、請求項１に記載の包装体。
【請求項７】
前記脆弱ラインが、前記外層を少なくとも部分的に通して延在する、請求項６に記載の包装体。
【請求項８】
前記脆弱ラインが、前記内層を少なくとも部分的に通して延在する、請求項６に記載の包装体。
【請求項９】
前記脆弱ラインが、前記外層を少なくとも部分的に通して、かつ前記外層のみを通して延在する、請求項６に記載の包装体。
【請求項１０】
前記脆弱ラインが、前記可撓性フィルムを部分的にのみ通して延在する、請求項１に記載の包装体。
【請求項１１】
前記引裂帯が、前記タブと連続している、請求項１に記載の包装体。
【請求項１２】
前記可撓性フィルムが、前記外層と前記内層との間に配置された印刷層及び永久接着剤をさらに備える、請求項６に記載の包装体。
【請求項１３】
前記印刷層が、前記包装体を開封するための指示を提供する図形を含む、請求項１２に記載の包装体。
【請求項１４】
前記脆弱ラインが、２本の実質的に平行な脆弱ラインを備える、請求項１に記載の包装体。
【請求項１５】
前記２本の実質的に平行なラインが、約１／８インチ〜約２インチの距離で離間している、請求項１４に記載の包装体。
【請求項１６】
前記２本の実質的に平行なラインが、約１／４インチ〜約１インチの距離で離間している、請求項１４に記載の包装体。
【請求項１７】
前記２本の実質的に平行なラインが、約１／４インチ〜約１／２インチの距離で離間している、請求項１４に記載の包装体。
【請求項１８】
前記切れ目が、前記２本の実質的に平行な脆弱ラインのうちの１本から、前記２本の実質的に平行な脆弱ラインのうちの別の方へと延在する、請求項１４に記載の包装体。
【請求項１９】
前記プルタブが、前記縦フィンシールの前記端縁から約１／１０インチ〜約１／２インチのところに位置付けられる、請求項１４に記載の包装体。
【請求項２０】
前記プルタブが、前記縦フィンシールの前記端縁から約１／８インチ〜約１／４インチのところに位置付けられる、請求項１に記載の包装体。
【請求項２１】
前記プルタブが、曲面形状を備える、請求項１に記載の包装体。
【請求項２２】
前記プルタブが、角形を備える、請求項１に記載の包装体。
【請求項２３】
前記角形が、台形を備える、請求項２２に記載の包装体。
【請求項２４】
前記脆弱ラインが、前記第１及び第２の縦縁部のうちの別の方へと実質的に延在することなく、前記包装体の前記少なくとも一部の周囲の前記第１及び第２の縦縁部のうちの１つの近位から延在する、請求項１に記載の包装体。
【請求項２５】
前記包装体が、収納空間を画定し、かつ前記タブと前記収納空間との間にシールをさらに備える、請求項１に記載の包装体。
【請求項２６】
前記１本以上の脆弱ライン及び前記切れ目が、レーザー刻設される、請求項１に記載の包装体。
【請求項２７】
前記縦フィンシールが、未接着外側代部をさらに備える、請求項１に記載の包装体。
【請求項２８】
前記引裂帯が、前記横シールのうちの別の方より前記一対の横シールのうちの１つにより近い前記包装体の周囲に延在する、請求項１に記載の包装体。
【請求項２９】
易開封性包装体を形成するための可撓性フィルムであって、前記可撓性フィルムが、
一対の横端部シール領域と、
前記横端部シール領域の略間の一対の縦縁部と、
前記横端部シール領域の略間に、かつ前記一対の縦縁部の略間に延在する保管領域と、
前記可撓性フィルムを部分的に通して配置された脆弱ラインによって画定された引裂帯であって、前記引裂帯を画定する前記脆弱ラインが、前記保管領域に少なくとも部分的に沿って延在する１本以上のラインを備える、引裂帯と、
前記一対の縦縁シール領域のうちの１つを通る第１の切れ目と、前記一対の縦縁領域のうちの別の方を通る第２の切れ目と、を備え、
前記一対の横端部シール領域、前記一対の縦縁シール領域、前記保管領域、前記引裂帯、及び前記第１及び第２の切れ目が、
前記一対の横端部シール領域をそれ自体に接着させて一対の横端部シールを形成し、
前記一対の縦縁部を互いに接着させて前記縦縁部と、（ｉ）接着剤を実質的に含まない空隙、または（ｉｉ）シール領域に対して低減された接着強度を有する領域のいずれかとの間にシール領域を含む縦フィンシールを形成し、かつ、
前記第１及び第２の切れ目を整列させて前記縦フィンシール内に位置付けられ、前記縦フィンシール内に、かつ前記縦フィンシールの端縁の内側に位置付けられたプルタブを画定することによって、前記可撓性フィルムを折り畳んで包装体を形成し得るように構成され、
前記包装体が形成されるとき、前記脆弱ラインが、前記プルタブ及び前記縦フィンシールの近位から、前記包装体の少なくとも一部の周囲に延在し、かつ前記空隙または前記低減された接着剤を有する前記領域が、前記プルタムの少なくとも一部を実質的に囲み、
前記プルタブ及び前記引裂帯が、前記包装体が形成されるとき、前記プルタブを一方向に引っ張ることによる引き裂きの開始により、前記引裂帯を画定する前記脆弱ラインに沿った、前記可撓性フィルムの制御された引き裂きを生じるように構成される、可撓性フィルム。
【請求項３０】
請求項１に記載の可撓性フィルムのロール。
【請求項３１】
易開封性包装体であって、
一対の横端部シールと、それらの略間の縦ラップシールとを有する可撓性フィルムから形成された包装体であって、前記縦ラップシールが、前記可撓性フィルムの第２の縦縁部に封止された前記可撓性フィルムの第１の縦縁部間にシール領域を備える、包装体と、
前記可撓性フィルムを部分的に通して配置された脆弱ラインによって画定された引裂帯と、
前記縦ラップシール内に位置付けられ、かつ前記縦ラップシール内の前記可撓性フィルムの前記第１の縦縁部を通る切れ目によって画定されたプルタブであって、前記切れ目が、前記シール領域内に、かつ前記縦ラップシールの端縁の内側に位置付けられる、プルタブと、を備え、
前記引裂帯を画定する前記脆弱ラインが、前記包装体の周囲に延在する１本以上のラインを備え、前記脆弱ラインが、前記プルタブ、及び前記縦ラップシールを形成する前記可撓性フィルムの前記第１の縦縁部の近位から延在し、
前記プルタブ及び前記引裂帯が、前記プルタブを一方向に引っ張ることによる引き裂きの開始により、前記引裂帯を画定する前記脆弱ラインに沿った、前記可撓性フィルムの制御された引き裂きを生じるように構成される、易開封性包装体。
【請求項３２】
前記脆弱ラインが、開始脆弱ラインから、前記包装体の前記少なくとも一部の周囲に延在し、前記開始脆弱ラインが、前記縦ラップシールを形成する前記可撓性フィルムの前記第２の縦縁部内に位置付けられ、前記プルタブ、前記開始脆弱ライン、及び前記引裂帯が、前記プルタブを一方向に引っ張ることによる前記引き裂きの開始により、前記引裂帯を画定する前記脆弱ラインに沿った、前記開始脆弱ラインからの前記可撓性フィルムの制御された引き裂きを生じるように構成される、請求項３１に記載の包装体。
【請求項３３】
前記開始脆弱ラインが、前記第１の縦縁部の前記プルタブに隣接する領域内の前記可撓性フィルムの前記第２の縦縁部内に位置付けられる、請求項３１に記載の包装体。
【請求項３４】
前記一対の横端部シール及び前記縦ラップシールのうちの１つ以上が、ヒートシールを備える、請求項３１に記載の包装体。
【請求項３５】
前記一対の横端部シール及び前記縦ラップシールのうちの１つ以上が、コールドシールを備える、請求項３１に記載の包装体。
【請求項３６】
前記可撓性フィルムが、外層及び内層を備える少なくとも２つの層を備える、請求項３１に記載の包装体。
【請求項３７】
前記脆弱ラインが、前記外層を少なくとも部分的に通して延在する、請求項３６に記載の包装体。
【請求項３８】
前記脆弱ラインが、前記内層を少なくとも部分的に通して延在する、請求項３６に記載の包装体。
【請求項３９】
前記脆弱ラインが、前記外層を少なくとも部分的に通して、かつ前記外層のみを通して延在する、請求項３６に記載の包装体。
【請求項４０】
前記脆弱ラインが、前記可撓性フィルムを部分的にのみ通して延在する、請求項３１に記載の包装体。
【請求項４１】
前記引裂帯が、前記タブと連続している、請求項３１に記載の包装体。
【請求項４２】
前記可撓性フィルムが、前記外層と前記内層との間に配置された印刷層及び永久接着剤をさらに備える、請求項３６に記載の包装体。
【請求項４３】
前記印刷層が、前記包装体を開封するための指示を提供する図形を含む、請求項４２に記載の包装体。
【請求項４４】
前記脆弱ラインが、２本の実質的に平行な脆弱ラインを備える、請求項３１に記載の包装体。
【請求項４５】
前記２本の実質的に平行なラインが、約１／８インチ〜約２インチの距離で離間している、請求項４４に記載の包装体。
【請求項４６】
前記２本の実質的に平行なラインが、約１／４インチ〜約１インチの距離で離間している、請求項４４に記載の包装体。
【請求項４７】
前記２本の実質的に平行なラインが、約１／４インチ〜約１／２インチの距離で離間している、請求項４４に記載の包装体。
【請求項４８】
前記切れ目が、前記２本の実質的に平行な脆弱ラインのうちの１本から、前記２本の実質的に平行な脆弱ラインのうちの別の方へと延在する、請求項４４に記載の包装体。
【請求項４９】
前記プルタブが、前記縦ラップシールの前記第１の縦縁部の前記端縁から約１／１０インチ〜約１／２インチのところに位置付けられる、請求項３１に記載の包装体。
【請求項５０】
前記プルタブが、前記縦ラップシールの前記第１の縦縁部の前記端縁から約１／８インチ〜約１／４インチのところに位置付けられる、請求項３１に記載の包装体。
【請求項５１】
前記プルタブが、曲面形状を備える、請求項３１に記載の包装体。
【請求項５２】
前記プルタブが、角形を備える、請求項３１に記載の包装体。
【請求項５３】
前記角形が、台形を備える、請求項５２に記載の包装体。
【請求項５４】
前記切れ目を囲む前記縦ラップシールが、接着剤を実質的に含まない領域をさらに備える、請求項３１に記載の包装体。
【請求項５５】
前記脆弱ラインが、前記第２の縦縁部へと実質的に延在することなく、前記包装体の前記少なくとも一部の周囲の前記第１の縦縁部の近位から延在する、請求項３１に記載の包装体。
【請求項５６】
前記包装体、前記横端部シール、及び前記縦ラップシールが、収納空間を画定し、かつ前記縦ラップシールが、前記タブと前記収納空間との間に封止部分をさらに備える、請求項３１に記載の包装体。
【請求項５７】
前記１本以上の脆弱ライン及び前記切れ目が、レーザー刻設される、請求項３１に記載の包装体。
【請求項５８】
前記縦ラップシールが、未接着外側代部をさらに備える、請求項３１に記載の包装体。
【請求項５９】
前記引裂帯が、前記横シールのうちの別の方より前記一対の横シールのうちの１つにより近い前記包装体の周囲に延在する、請求項３１に記載の包装体。
【請求項６０】
易開封性包装体を形成するための可撓性フィルムであって、前記可撓性フィルムが、
一対の横端部シール領域と、
前記横端部シール領域の略間の一対の縦縁部と、
前記横端部シール領域の略間に、かつ前記一対の縦縁部の略間に延在する保管領域と、
前記可撓性フィルムを部分的に通して配置された脆弱ラインによって画定された引裂帯であって、前記引裂帯を画定する前記脆弱ラインが、前記保管領域に少なくとも部分的に沿って延在する１本以上のラインを備える、引裂帯と、
前記一対の縦縁部のうちの１つを通る切れ目と、を備え、
前記一対の横端部シール領域、前記一対の縦縁部、前記保管領域、前記引裂帯、及び前記切れ目が、前記一対の横端部シール領域をそれ自体に接着させて一対の横端部シールを形成し、前記一対の縦縁部を互いに接着させて前記縦縁部間にシール領域を含む縦ラップシールを形成し、かつ前記切れ目を整列させて前記縦ラップシール内に位置付けられ、前記縦縁部のうちの前記１つ内に、かつ前記縦ラップシールの端縁の内側に位置付けられたプルタブを画定することによって、前記可撓性フィルムを折り畳んで包装体を形成し得るように構成され、
前記包装体が形成されるとき、前記脆弱ラインが、前記プルタブ及び前記縦ラップシールの近位から、前記包装体の少なくとも一部の周囲に延在し、
前記プルタブ及び前記引裂帯が、前記包装体が形成されるとき、前記プルタブを一方向に引っ張ることによる引き裂きの開始により、前記引裂帯を画定する前記脆弱ラインに沿った、前記可撓性フィルムの制御された引き裂きを生じるように構成される、可撓性フィルム。
【請求項６１】
請求項６０に記載の可撓性フィルムのロール。
【請求項６２】
易開封性包装体であって、
一対の横端シールと、それらの略間の縦フィンシールとを有する可撓性フィルムから形成された包装体であって、前記縦フィンシールが、
前記可撓性フィルムの第２の縦縁部に封止された前記可撓性フィルムの第１の縦縁部間のシール領域と、
前記第１及び第２の縦縁部間の未シール領域と、を備える、包装体と、
前記可撓性フィルムを部分的に通して配置された脆弱ラインによって画定された引裂帯と、
前記縦フィンシール内に位置付けられ、かつ前記縦フィンシール内の前記可撓性フィルムの前記第１の縦縁部を通る切れ目によって画定されたプルタブであって、前記切れ目が、前記未シール領域内に、かつ前記縦フィンシールの端縁の内側に位置付けられ、その結果前記第１の縦縁部が、前記切れ目の近位の前記未シール領域を除いて、前記第２の縦縁部に封止されたままの状態にある、プルタブと、を備え、
前記引裂帯を画定する前記脆弱ラインが、前記包装体の周囲に延在する１本以上のラインを備え、前記脆弱ラインが、前記プルタブ及び前記縦フィンシールの近位から、前記包装体の少なくとも一部の周囲に延在し、
前記プルタブ及び前記引裂帯が、前記プルタブを一方向に引っ張ることによる引き裂きの開始により、前記引裂帯を画定する前記脆弱ラインに沿った、前記可撓性フィルムの制御された引き裂きを生じるように構成される、易開封性包装体。
【国際調査報告】
2017538636.tif 000017
2017538636.tif 000018